(57)【特許請求の範囲】
【請求項１】
無線通信システムにおいて位置決定のための参照信号の測定方法であって、
前記方法は端末によって行われ、
基準セル及び一以上の隣セルを含む複数セルに関連した位置決定のための補助データを受信するステップと、
前記位置決定のための補助データを受信することに基づいて、
前記複数セルのＰＲＳ（ｐｏｓｉｔｉｏｎｉｎｇ  ｒｅｆｅｒｅｎｃｅ  ｓｉｇｎａｌ）、及び、
前記複数セルのＣＲＳ（ｃｅｌｌ−ｓｐｅｃｉｆｉｃ  ｒｅｆｅｒｅｎｃｅ  ｓｉｇｎａｌ）を用いて、
ＲＳＴＤ（ｒｅｆｅｒｅｎｃｅ  ｓｉｇｎａｌ  ｔｉｍｅ  ｄｉｆｆｅｒｅｎｃｅ）測定値を計算するステップと、
前記測定値を位置サーバーに報告するステップとを含んでなり、
前記位置決定のための補助データは、
前記複数セルのＰＲＳ  ＣＰ（ｃｙｃｌｉｃ  ｐｒｅｆｉｘ）長情報、及び、
前記複数セルのＣＲＳ  ＣＰ（ｃｙｃｌｉｃ  ｐｒｅｆｉｘ）長情報、及び、
前記複数セルのＭＢＳＦＮ（ｍｕｌｔｉｃａｓｔ  ｂｒｏａｄｃａｓｔ  ｓｉｎｇｌｅ  ｆｒｅｑｅｕｎｃｙ  ｎｅｔｗｏｒｋ）サブフレーム設定情報、を含むことを特徴とする、位置決定のための参照信号の測定方法。
【請求項２】
前記位置決定のための補助データは、ＣＲＳアンテナポート数１、２又は４のいずれか一つを示す前記ＣＲＳアンテナポート数に関する情報をさらに含んでなることを特徴とする、請求項１に記載の位置決定のための参照信号の測定方法。
【請求項３】
前記ＣＲＳ  ＣＰ長情報は、前記位置決定のための補助データに包含されてなり、前記基準セルのＰＲＳとＣＲＳのＣＰ長が異なってなり、又は、前記隣セルのＰＲＳとＣＲＳのＣＰ長が異なる場合にのみ存在することを特徴とする、請求項１に記載の位置決定のための参照信号の測定方法。
【請求項４】
前記ＭＢＳＦＮサブフレーム設定情報は、１又は４無線フレーム（ｒａｄｉｏ  ｆｒａｍｅ）に包含されたサブフレームに関するものであることを特徴とする、請求項１に記載の位置決定のための参照信号の測定方法。
【請求項５】
前記基準セルの物理層セルＩＤフィールドと少なくとも一つの隣セルの物理層セルＩＤとが同一であれば、
前記基準セルのＰＲＳ及びＣＲＳがＲＳＴＤ測定に用いられ、前記少なくとも一つの隣セルに対してはＲＳＴＤ測定が行われないことを特徴とする、請求項１に記載の位置決定のための参照信号の測定方法。
【請求項６】
前記基準セルの物理層セルＩＤフィールドと少なくとも一つの隣セルの物理層セルＩＤとが同一であれば、
前記基準セルのＰＲＳ及びＣＲＳがＲＳＴＤ測定に用いられ、前記少なくとも一つの隣セルのＰＲＳのみがＲＳＴＤ測定に用いられることを特徴とする、請求項１に記載の位置決定のための参照信号の測定方法。
【請求項７】
前記補助データに含まれた複数の隣セルの物理層セルＩＤが同一であれば、
前記複数の隣セルのうち、事前に設定された隣セルのＰＲＳ及びＣＲＳがＲＳＴＤ測定に用いられ、残りの隣セルに対してはＲＳＴＤ測定が行われないことを特徴とする、請求項１に記載の位置決定のための参照信号の測定方法。
【請求項８】
前記位置決定のための補助データに含まれた複数の隣セルの物理層セルＩＤが同一であれば、
前記複数の隣セルのうち、事前に設定された隣セルのＰＲＳ及びＣＲＳのみがＲＳＴＤ測定に用いられ、残りの隣セルのＰＲＳのみがＲＳＴＤ測定に用いられることを特徴とする、請求項１に記載の位置決定のための参照信号の測定方法。
【請求項９】
前記位置決定のための補助データが、前記複数セルのＲＳ（ｒｅｆｅｒｅｎｃｅ  ｓｉｇｎａｌ）情報を含んでなり、
前記ＲＳが、前記複数セルのＰＲＳとＱＣＬ（ｑｕａｓｉ−ｃｏ−ｌｏｃａｔｉｏｎ）であることを特徴とする、請求項１に記載の位置決定のための参照信号の測定方法。
【請求項１０】
前記ＲＳに関する情報は、前記ＰＲＳとＱＣＬである前記ＲＳのアンテナポートの情報を含むことを特徴とする、請求項９に記載の位置決定のための参照信号の測定方法。
【請求項１１】
無線通信システムにおいて位置決定のための参照信号測定を行うように構成された端末であって、
送信器と、
受信器と、
前記送信器及び前記受信器を制御するように構成されたプロセッサとを備えてなり、
前記プロセッサは、
基準セル及び一以上の隣セルを含む複数セルに関連した位置決定のための補助データを受信し、
前記位置決定のための補助データを受信することに基づいて、
前記複数セルのＰＲＳ（ｐｏｓｉｔｉｏｎｉｎｇ  ｒｅｆｅｒｅｎｃｅ  ｓｉｇｎａｌ）、及び、
前記複数セルのＣＲＳ（ｃｅｌｌ−ｓｐｅｃｉｆｉｃ  ｒｅｆｅｒｅｎｃｅ  ｓｉｇｎａｌ）を用いて、
ＲＳＴＤ（ｒｅｆｅｒｅｎｃｅ  ｓｉｇｎａｌ  ｔｉｍｅ  ｄｉｆｆｅｒｅｎｃｅ）測定値を計算し、
前記測定値を位置サーバーに報告するように構成されてなり、
前記位置決定のための補助データは、
前記複数セルのＰＲＳ  ＣＰ（ｃｙｃｌｉｃ  ｐｒｅｆｉｘ）長情報、
前記複数セルのＣＲＳ  ＣＰ（ｃｙｃｌｉｃ  ｐｒｅｆｉｘ）長情報、及び、
前記複数セルのＭＢＳＦＮ（ｍｕｌｔｉｃａｓｔ  ｂｒｏａｄｃａｓｔ  ｓｉｎｇｌｅ  ｆｒｅｑｅｕｎｃｙ  ｎｅｔｗｏｒｋ）サブフレーム設定情報、を含むことを特徴とする、端末。
【発明の詳細な説明】
【技術分野】
【０００１】
本発明は、無線通信システムに関し、特に、無線通信システムにおいて位置決定のための参照信号の測定又は位置決定のための方法及びそのための装置に関する。
【背景技術】
【０００２】
機器間(Ｍａｃｈｉｎｅ−ｔｏ−Ｍａｃｈｉｎｅ、Ｍ２Ｍ)通信と、高いデータ送信量を要求するスマートフォン、タブレットＰＣなどの様々な装置及び技術が出現及び普及されている。
これに伴い、セルラー網で処理されることが要求されるデータ量も急増している。このように急増しているデータ処理要求量を満たすために、より多い周波数帯域を效率的に使用するための搬送波集成（ｃａｒｒｉｅｒ  ａｇｇｒｅｇａｔｉｏｎ；ＣＡ）技術、認知無線（ｃｏｇｎｉｔｉｖｅ  ｒａｄｉｏ）技術などと、限定された周波数内で送信されるデータ容量を増大させるための多重アンテナ技術、多重基地局協調技術などが発展している。また、ユーザ機器がその周辺でアクセスできるノードの密度が高くなる方向に通信環境が進展している。ノードとは、１つ以上のアンテナを有しており、ユーザ機器と無線信号を送信／受信できる固定した地点（ｐｏｉｎｔ）のことをいう。高い密度のノードを有する通信システムは、ノード間の協調によってより高い性能の通信サービスをユーザ機器に提供することができる。
【０００３】
複数のノードで同一の時間−周波数リソースを用いてユーザ機器と通信を行う多重ノード協調通信方式は、各ノードが独立した基地局として動作して相互協調無しでユーザ機器と通信を行う既存の通信方式に比べて、データ処理量において格段に優れた性能を示す。多重ノードシステムは、各ノードが、基地局、アクセスポイント、アンテナ、アンテナグループ、無線リモートヘッド（ｒａｄｉｏ  ｒｅｍｏｔｅ  ｈｅａｄ、ＲＲＨ）、無線リモートユニット（ｒａｄｉｏ  ｒｅｍｏｔｅ  ｕｎｉｔ、ＲＲＵ）として動作する、複数のノードを用いて協調通信を行う。
アンテナが基地局に集中して位置している既存の中央集中型アンテナシステムと違い、一般に、多重ノードシステムでは複数のノードが一定間隔以上で離れて位置する。複数のノードは、各ノードの動作を制御したり、各ノードを介して送／受信されるデータをスケジューリングしたりする１つ以上の基地局或いは基地局コントローラ（ｃｏｎｔｒｏｌｌｅｒ）によって管理することができる。各ノードは、当該ノードを管理する基地局或いは基地局コントローラとケーブル或いは専用回線（ｄｅｄｉｃａｔｅｄ  ｌｉｎｅ）で接続される。
【０００４】
このような多重ノードシステムは、分散したノードが同時に異なったストリームを送／受信して単一又は複数のユーザ機器と通信できるという点で、一種のＭＩＭＯ（ｍｕｌｔｉｐｌｅ  ｉｎｐｕｔ  ｍｕｌｔｉｐｌｅ  ｏｕｔｐｕｔ）システムと見なすことができる。ただし、多重ノードシステムは様々な位置に分散しているノードを用いて信号を送信するため、既存の中央集中型アンテナシステムに備えられたアンテナに比べて、各アンテナがカバーすべき送信領域が縮減する。そのため、中央集中型アンテナシステムにおいてＭＩＭＯ技術を具現した既存システムに比べて、多重ノードシステムでは、各アンテナが信号を送信するために必要とする送信電力を減少させることができる。また、アンテナとユーザ機器間の送信距離が短縮するため、経路損失が減少し、データの高速送信が可能になる。これによって、セルラーシステムの送信容量及び電力効率を増大させることができ、セル内のユーザ機器の位置に関係なく、相対的に均一な品質の通信性能を保障することができる。また、多重ノードシステムでは、複数のノードに接続した基地局或いは基地局コントローラがデータ送信／受信に協調するため、送信過程で発生する信号損失が減少する。また、一定の距離以上で離れて位置したノード同士がユーザ機器と協調通信を行う場合、アンテナ間の相関度（ｃｏｒｒｅｌａｔｉｏｎ）及び干渉が軽減することとなる。したがって、多重ノード協調通信方式によれば、高い信号対雑音比（ｓｉｇｎａｌ  ｔｏ  ｉｎｔｅｒｆｅｒｅｎｃｅ−ｐｌｕｓ−ｎｏｉｓｅ  ｒａｔｉｏ、ＳＩＮＲ）が得られる。
【０００５】
このような多重ノードシステムの特長から、次世代移動通信システムにおいて基地局増設費用とバックホール（ｂａｃｋｈａｕｌ）網の保守費用を削減すると同時に、サービスカバレッジの拡大とチャネル容量及びＳＩＮＲの向上のために、多重ノードシステムが、既存の中央集中型アンテナシステムに加えて或いはそれに代えてセルラー通信の新しい基盤として台頭している。
【発明の概要】
【発明が解決しようとする課題】
【０００６】
本発明は、参照信号ベースの位置決定のための方法を提案しようとする。
【０００７】
本発明で遂げようとする技術的課題は、前記の技術的課題に制限されず、言及していない他の技術的課題は、以下の記載から、本発明の属する技術の分野における通常の知識を有する者に明確に理解されるであろう。
【課題を解決するための手段】
【０００８】
本発明の一実施例に係る無線通信システムにおいて位置決定のための参照信号の測定方法であって、前記方法は端末によって行われ、位置決定のための基準セル及び隣セルに関連した補助データを受信するステップと、前記補助データを用いて、前記基準セル及び前記隣セルのＰＲＳ（ｐｏｓｉｔｉｏｎｉｎｇ  ｒｅｆｅｒｅｎｃｅ  ｓｉｇｎａｌ）又はＣＲＳ（ｃｅｌｌ−ｓｐｅｃｉｆｉｃ  ｒｅｆｅｒｅｎｃｅ  ｓｉｇｎａｌ）を受信してＲＳＴＤ（ｒｅｆｅｒｅｎｃｅ  ｓｉｇｎａｌ  ｔｉｍｅ  ｄｉｆｆｅｒｅｎｃｅ）測定値を計算するステップと、前記測定値を位置サーバーに報告するステップとを含み、前記補助データは、基準セル及び隣セルのＣＲＳアンテナポート数に関する情報、ＣＲＳ  ＣＰ（ｃｙｃｌｉｃ  ｐｒｅｆｉｘ）長情報、又はＭＢＳＦＮ（ｍｕｌｔｉｃａｓｔ  ｂｒｏａｄｃａｓｔ  ｓｉｎｇｌｅ  ｆｒｅｑｅｕｎｃｙ  ｎｅｔｗｏｒｋ）サブフレームに関する設定情報を含むことができる。
【０００９】
追加又は代案として、前記ＣＲＳアンテナポート数に関する情報は、ＣＲＳアンテナポート数１、２又は４のいずれか一つを示すことができる。
【００１０】
追加又は代案として、前記ＣＲＳ  ＣＰ長情報は、前記基準セルのＰＲＳとＣＲＳのＣＰ長が異なったり、又は前記隣セルのＰＲＳとＣＲＳのＣＰ長が異なる場合にのみ存在してもよい。
【００１１】
追加又は代案として、前記補助データに前記ＣＲＳ  ＣＰ長情報が含まれないと、前記基準セルのＰＲＳとＣＲＳのＣＰ長が同一であるか、又は前記隣セルのＰＲＳとＣＲＳのＣＰ長が同一であってもよい。
【００１２】
追加又は代案として、前記ＭＢＳＦＮサブフレームに関する設定情報は、１又は４無線フレーム（ｒａｄｉｏ  ｆｒａｍｅ）単位と提供されてもよい。
【００１３】
追加又は代案として、前記補助データにＣＲＳアンテナポート数に関する情報、ＣＲＳ  ＣＰ長情報、又はＭＢＳＦＮサブフレームに関する設定情報の全部又は一部が含まれない特定セルに対しては、前記ＲＳＴＤ測定にＣＲＳが用いられなくてもよい。
【００１４】
追加又は代案として、前記方法は、前記補助データにＣＲＳアンテナポート数に関する情報、ＣＲＳ  ＣＰ長情報、又はＭＢＳＦＮサブフレームに関する設定情報の全部又は一部が含まれない特定セルに対しては、ＣＲＳポート０を通じて送信されたＣＲＳのみを受信して前記ＲＳＴＤ測定値を計算するステップを含んでもよい。
【００１５】
追加又は代案として、前記方法は、前記補助データにＣＲＳアンテナポート数に関する情報、ＣＲＳ  ＣＰ長情報、又はＭＢＳＦＮサブフレームに関する設定情報の全部又は一部が含まれない特定セルに対しては、特定ＯＦＤＭシンボル上のＣＲＳのみを受信して前記ＲＳＴＤ測定値を計算するステップを含んでもよい。
【００１６】
追加又は代案として、前記方法は、前記補助データにＣＲＳアンテナポート数に関する情報、ＣＲＳ  ＣＰ長情報、又はＭＢＳＦＮサブフレームに関する設定情報の全部又は一部が含まれない特定セルに対しては、ＰＲＳのみを受信してＲＳＴＤ測定値を計算するステップを含んでもよい。
【００１７】
追加又は代案として、前記基準セルの物理層セルＩＤ（ｉｄｅｎｔｉｆｉｅｒ）フィールドと少なくとも一つの隣セルの物理層セルＩＤとが同一であれば、前記基準セルのＰＲＳのみがＲＳＴＤ測定に用いられ、前記少なくとも一つの隣セルに対してはＲＳＴＤ測定が行われなくてもよい。
【００１８】
追加又は代案として、前記基準セルの物理層セルＩＤ（ｉｄｅｎｔｉｆｉｅｒ）フィールドと少なくとも一つの隣セルの物理層セルＩＤとが同一であれば、前記基準セルのＰＲＳのみがＲＳＴＤ測定に用いられ、前記少なくとも一つの隣セルのＰＲＳのみがＲＳＴＤ測定に用いられてもよい。
【００１９】
追加又は代案として、前記基準セルの物理層セルＩＤ（ｉｄｅｎｔｉｆｉｅｒ）フィールドと少なくとも一つの隣セルの物理層セルＩＤとが同一であれば、前記基準セルのＰＲＳ及び／又はＣＲＳがＲＳＴＤ測定に用いられ、前記少なくとも一つの隣セルに対してはＲＳＴＤ測定が行われなくてもよい。
【００２０】
追加又は代案として、前記基準セルの物理層セルＩＤ（ｉｄｅｎｔｉｆｉｅｒ）フィールドと少なくとも一つの隣セルの物理層セルＩＤとが同一であれば、前記基準セルのＰＲＳ及び／又はＣＲＳがＲＳＴＤ測定に用いられ、前記少なくとも一つの隣セルのＰＲＳのみがＲＳＴＤ測定に用いられてもよい。
【００２１】
追加又は代案として、前記補助データに含まれた複数の隣セルの物理層セルＩＤが同一であれば、前記複数の隣セルのうち、事前に設定された隣セルのＰＲＳのみがＲＳＴＤ測定に用いられ、残りの隣セルに対してはＲＳＴＤ測定が行われなくてもよい。
【００２２】
追加又は代案として、前記補助データに含まれた複数の隣セルの物理層セルＩＤが同一であれば、前記複数の隣セルのうち、事前に設定された隣セルのＰＲＳのみがＲＳＴＤ測定に用いられ、残りの隣セルのＰＲＳのみがＲＳＴＤ測定に用いられてもよい。
【００２３】
追加又は代案として、前記補助データに含まれた複数の隣セルの物理層セルＩＤが同一であれば、前記複数の隣セルのうち、事前に設定された隣セルのＰＲＳ及び／又はＣＲＳがＲＳＴＤ測定に用いられ、残りの隣セルに対してはＲＳＴＤ測定が行われなくてもよい。
【００２４】
追加又は代案として、前記補助データに含まれた複数の隣セルの物理層セルＩＤが同一であれば、前記複数の隣セルのうち、事前に設定された隣セルのＰＲＳ及び／又はＣＲＳのみがＲＳＴＤ測定に用いられ、残りの隣セルのＰＲＳのみがＲＳＴＤ測定に用いられてもよい。
【００２５】
追加又は代案として、前記方法は、前記基準セル又は前記隣セルのＰＲＳとＱＣＬ（ｑｕａｓｉ−ｃｏ−ｌｏｃａｔｉｏｎ）関係にある特定ＲＳ（ｒｅｆｅｒｅｎｃｅ  ｓｉｇｎａｌ）に関する情報を受信するステップを含み、前記特定ＲＳに関する情報は、前記ＱＣＬ関係にあるＰＲＳのチャネル特性を決定するために用いられてもよい。
【００２６】
追加又は代案として、前記特定ＲＳに関する情報は前記ＰＲＳとＱＣＬ関係にある前記ＲＳの特定アンテナポートに関する情報を含んでもよい。
【００２７】
本発明の他の実施例に係る無線通信システムにおいて位置決定のための参照信号測定を行うように構成された端末であって、送信器と、受信器と、前記送信器及び前記受信器を制御するように構成されたプロセッサとを含み、前記プロセッサは、位置決定のための基準セル及び隣セルに関連した補助データを受信し、前記補助データを用いて、前記基準セル及び前記隣セルのＰＲＳ（ｐｏｓｉｔｉｏｎｉｎｇ  ｒｅｆｅｒｅｎｃｅ  ｓｉｇｎａｌ）又はＣＲＳ（ｃｅｌｌ−ｓｐｅｃｉｆｉｃ  ｒｅｆｅｒｅｎｃｅ  ｓｉｇｎａｌ）を受信してＲＳＴＤ（ｒｅｆｅｒｅｎｃｅ  ｓｉｇｎａｌ  ｔｉｍｅ  ｄｉｆｆｅｒｅｎｃｅ）測定値を計算し、前記測定値を位置サーバーに報告するように構成され、前記補助データは基準セル及び隣セルのＣＲＳアンテナポート数に関する情報、ＣＲＳ  ＣＰ（ｃｙｃｌｉｃ  ｐｒｅｆｉｘ）長情報、又はＭＢＳＦＮ（ｍｕｌｔｉｃａｓｔ  ｂｒｏａｄｃａｓｔ  ｓｉｎｇｌｅ  ｆｒｅｑｅｕｎｃｙ  ｎｅｔｗｏｒｋ）サブフレームに関する設定情報を含んでもよい。
【００２８】
これらの課題解決方法は本発明の実施例の一部に過ぎず、本願発明の技術的特徴が反映された様々な実施例が当該技術の分野における通常の知識を有する者によって、以下に詳述する本発明の詳細な説明に基づいて導出され理解され得るだろう。
【発明の効果】
【００２９】
本発明の一実施例によれば、無線通信システムにおいて位置決定のための参照信号の受信又は送信、そして前記参照信号の測定が効率的に行われるようにすることができる。
【００３０】
本発明から得られる効果は、以上で言及した効果に制限されず、言及していない他の効果は、以下の記載から、本発明の属する技術の分野における通常の知識を有する者に明確に理解されるであろう。
【図面の簡単な説明】
【００３１】
本発明に関する理解を助けるために詳細な説明の一部として含まれる添付の図面は、本発明に関する実施例を提供し、詳細な説明と共に本発明の技術的思想を説明する。
【００３２】
【図１】無線通信システムにおいて用いられる無線フレーム構造の一例を示す図である。
【図２】無線通信システムにおいて下りリンク／上りリンク（ＤＬ／ＵＬ）スロット構造の一例を示す図である。
【図３】３ＧＰＰ  ＬＴＥ／ＬＴＥ−Ａシステムにおいて用いられる下りリンク（ｄｏｗｎｌｉｎｋ；ＤＬ）サブフレーム構造を例示する図である。
【図４】３ＧＰＰ  ＬＴＥ／ＬＴＥ−Ａシステムにおいて用いられる上りリンク（ｕｐｌｉｎｋ；ＵＬ）サブフレーム構造の一例を示す図である。
【図５】ＰＲＳ送信構造を示す図である。
【図６】ＰＲＳ（ｐｏｓｉｔｉｏｎｉｎｇ  ｒｅｆｅｒｅｎｃｅ  ｓｉｇｎａｌ）のＲＥマッピングを示す図である。
【図７】ＰＲＳ（ｐｏｓｉｔｉｏｎｉｎｇ  ｒｅｆｅｒｅｎｃｅ  ｓｉｇｎａｌ）のＲＥマッピングを示す図である。
【図８】本発明の一実施例に係る動作を例示する図である。
【図９】本発明の実施例を具現するための装置のブロック図である。
【発明を実施するための形態】
【００３３】
以下、本発明に係る好適な実施の形態を添付の図面を参照して詳しく説明する。添付の図面と共に以下に開示される詳細な説明は、本発明の例示的な実施の形態を説明するためのもので、本発明を実施できる唯一の実施の形態を示すためのものではない。以下の詳細な説明は、本発明の完全な理解を提供するために具体的な細部事項を含む。しかし、このような具体的な細部事項無しにも本発明を実施可能であるということが当業者には理解できる。
【００３４】
場合によって、本発明の概念が曖昧になることを避けるために、公知の構造及び装置が省略されることもあり、各構造及び装置の核心機能を中心にしたブロック図の形式で図示されることもある。また、本明細書全体を通じて同一の構成要素には同一の図面符号を付して説明する。
【００３５】
本発明において、ユーザ機器（Ｕｓｅｒ  Ｅｑｕｉｐｍｅｎｔ：ＵＥ）は、固定していても、移動性を有していてもよいもので、基地局（ｂａｓｅ  ｓｔａｔｉｏｎ：ＢＳ）と通信してユーザデータ及び／又は各種制御情報を送受信する各種機器を含む。ＵＥを、端末（Ｔｅｒｍｉｎａｌ  Ｅｑｕｉｐｍｅｎｔ）、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）などと呼ぶこともできる。また、本発明において、ＢＳは一般に、ＵＥ及び／又は他のＢＳと通信する固定局（ｆｉｘｅｄ  ｓｔａｔｉｏｎ）を意味し、ＵＥ及び他のＢＳと通信して各種データ及び制御情報を交換する。ＢＳを、ＡＢＳ（Ａｄｖａｎｃｅｄ  Ｂａｓｅ  Ｓｔａｔｉｏｎ）、ＮＢ（Ｎｏｄｅ−Ｂ）、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）、ＰＳ（Ｐｒｏｃｅｓｓｉｎｇ  Ｓｅｒｖｅｒ）などと呼ぶこともできる。以下の本発明に関する説明てば、ＢＳをｅＮＢと総称する。
【００３６】
本発明でいうノード（ｎｏｄｅ）とは、ＵＥと通信して無線信号を送信／受信できる固定した地点（ｐｏｉｎｔ）を指す。様々な形態のｅＮＢをその名称にかかわらずノードとして用いることができる。例えば、ＢＳ、ＮＢ、ｅＮＢ、ピコ−セルｅＮＢ（ＰｅＮＢ）、ホームｅＮＢ（ＨｅＮＢ）、リレー、リピータなどをノードとすることができる。また、ノードは、ｅＮＢでなくてもよい。例えば、無線リモートヘッド（ｒａｄｉｏ  ｒｅｍｏｔｅ  ｈｅａｄ、ＲＲＨ）、無線リモートユニット（ｒａｄｉｏ  ｒｅｍｏｔｅ  ｕｎｉｔ、ＲＲＵ）であってもよい。ＲＲＨ、ＲＲＵなどは一般にｅＮＢの電力レベル（ｐｏｗｅｒ  ｌｅｖｅｌ）よりも低い電力レベルを有する。ＲＲＨ或いはＲＲＵ（以下、ＲＲＨ／ＲＲＵ）は一般に、光ケーブルなどの専用回線（ｄｅｄｉｃａｔｅｄ  ｌｉｎｅ）でｅＮＢに接続されており、よって、一般に無線回線で接続されているｅＮＢによる協調通信に比べて、ＲＲＨ／ＲＲＵとｅＮＢによる協調通信を円滑に行うことができる。１つのノードには少なくとも１つのアンテナが設置される。このアンテナは、物理アンテナを意味することもでき、アンテナポート、仮想アンテナ、又はアンテナグループを意味することもできる。ノードは、ポイント（ｐｏｉｎｔ）と呼ばれることもある。アンテナが基地局に集中して位置して１つのｅＮＢコントローラ（ｃｏｎｔｒｏｌｌｅｒ）によって制御される既存の（ｃｏｎｖｅｎｔｉｏｎａｌ）中央集中型アンテナシステム（ｃｅｎｔｒａｌｉｚｅｄ  ａｎｔｅｎｎａ  ｓｙｓｔｅｍ、ＣＡＳ）（すなわち、単一ノードシステム）と違い、多重ノードシステムにおいて複数のノードは一般に一定間隔以上で離れて位置する。これらの複数のノードは、各ノードの動作を制御したり、各ノードを通して送／受信されるデータをスケジューリング（ｓｃｈｅｄｕｌｉｎｇ）する１つ以上のｅＮＢ或いはｅＮＢコントローラによって管理することができる。各ノードは、当該ノードを管理するｅＮＢ或いはｅＮＢコントローラとケーブル（ｃａｂｌｅ）或いは専用回線（ｄｅｄｉｃａｔｅｄ  ｌｉｎｅ）で接続することができる。多重ノードシステムにおいて、複数のノードへの／からの信号送信／受信には、同一のセル識別子（ｉｄｅｎｔｉｔｙ、ＩＤ）が用いられてもよく、異なるセルＩＤが用いられてもよい。複数のノードが同一のセルＩＤを有すると、これら複数のノードのそれぞれは、１つのセルにおける一部のアンテナ集団のように動作する。多重ノードシステムにおいてノードが互いに異なるセルＩＤを有すると、このような多重ノードシステムを多重セル（例えば、マクロ−セル／フェムト−セル／ピコ−セル）システムと見なすことができる。複数のノードのそれぞれが形成した多重セルがカバレッジによってオーバーレイ（ｏｖｅｒｌａｙ）する形態で構成されると、これらの多重セルが形成したネットワークを特に多重−階層（ｍｕｌｔｉ−ｔｉｅｒ）ネットワークと呼ぶ。ＲＲＨ／ＲＲＵのセルＩＤとｅＮＢのセルＩＤは同一であっても、異なってもよい。ＲＲＨ／ＲＲＵとｅＮＢが互いに異なるセルＩＤを用いる場合、ＲＲＨ／ＲＲＵとｅＮＢはいずれも独立した基地局として動作する。
【００３７】
以下に説明する本発明の多重ノードシステムにおいて、複数のノードに接続した１つ以上のｅＮＢ或いはｅＮＢコントローラが、前記複数のノードの一部又は全てを介してＵＥに同時に信号を送信或いは受信するように前記複数のノードを制御することができる。各ノードの実体、各ノードの具現の形態などによって、多重ノードシステム間には差異点があるが、複数のノードが共に所定時間−周波数リソース上でＵＥに通信サービスを提供するために参加するという点で、これらの多重ノードシステムは単一ノードシステム（例えば、ＣＡＳ、従来のＭＩＭＯシステム、従来の中継システム、従来のリピータシステムなど）と異なる。そのため、複数のノードの一部又は全てを用いてデータ協調送信を行う方法に関する本発明の実施例は、種々の多重ノードシステムに適用可能である。例えば、ノードとは、通常、他のノードと一定間隔以上で離れて位置しているアンテナグループを指すが、後述する本発明の実施例は、ノードが間隔にかかわらずに任意のアンテナグループを意味する場合にも適用可能である。例えば、Ｘ−ｐｏｌ（Ｃｒｏｓｓ  ｐｏｌａｒｉｚｅｄ）アンテナを備えたｅＮＢの場合、該ｅＮＢが、Ｈ−ｐｏｌアンテナで構成されたノードとＶ−ｐｏｌアンテナで構成されたノードを制御すると見なし、本発明の実施例を適用することができる。
【００３８】
複数の送信（Ｔｘ）／受信（Ｒｘ）ノードを介して信号を送信／受信したり、複数の送信／受信ノードから選択された少なくとも１つのノードを介して信号を送信／受信したり、下りリンク信号を送信するノードと上りリンク信号を受信するノードとを別にし得る通信技法を、多重−ｅＮＢ ＭＩＭＯ又はＣｏＭＰ（Ｃｏｏｒｄｉｎａｔｅｄ  Ｍｕｌｔｉ−Ｐｏｉｎｔ  ｔｒａｎｓｍｉｓｓｉｏｎ／ｒｅｃｅｐｔｉｏｎ）という。このようなノード間協調通信のうち、協調送信技法は、ＪＰ（ｊｏｉｎｔ  ｐｒｏｃｅｓｓｉｎｇ）とスケジューリング協調（ｓｃｈｅｄｕｌｉｎｇ  ｃｏｏｒｄｉｎａｔｉｏｎ）とに区別できる。前者はＪＴ（ｊｏｉｎｔ  ｔｒａｎｓｍｉｓｓｉｏｎ）／ＪＲ（ｊｏｉｎｔ  ｒｅｃｅｐｔｉｏｎ）とＤＰＳ（ｄｙｎａｍｉｃ  ｐｏｉｎｔ  ｓｅｌｅｃｔｉｏｎ）とに区別し、後者はＣＳ（ｃｏｏｒｄｉｎａｔｅｄ  ｓｃｈｅｄｕｌｉｎｇ）とＣＢ（ｃｏｏｒｄｉｎａｔｅｄ  ｂｅａｍｆｏｒｍｉｎｇ）とに区別できる。ＤＰＳは、ＤＣＳ（ｄｙｎａｍｉｃ  ｃｅｌｌ  ｓｅｌｅｃｔｉｏｎ）と呼ぶこともできる。他の協調通信技法に比べて、ノード間協調通信技法のうちのＪＰを行うとき、より様々な通信環境を形成することができる。ＪＰにおいて、ＪＴは、複数のノードが同一のストリームをＵＥに送信する通信技法をいい、ＪＲは、複数のノードが同一のストリームをＵＥから受信する通信技法をいう。当該ＵＥ／ｅＮＢは、前記複数のノードから受信した信号を合成して前記ストリームを復元する。ＪＴ／ＪＲでは、同一のストリームが複数のノードから／に送信されるため、送信ダイバーシティ（ｄｉｖｅｒｓｉｔｙ）によって信号送信の信頼度を向上させることができる。ＪＰのＤＰＳは、複数のノードから特定規則によって選択された１つのノードを介して信号が送信／受信される通信技法をいう。ＤＰＳでは、通常、ＵＥとノード間のチャネル状態の良いノードが通信ノードとして選択されるはずであるため、信号送信の信頼度を向上させることができる。
【００３９】
本発明でいうセル（ｃｅｌｌ）とは、１つ以上のノードが通信サービスを提供する一定の地理的領域をいう。そのため、本発明で特定セルと通信するということは、特定セルに通信サービスを提供するｅＮＢ或いはノードと通信することを意味できる。また、特定セルの下りリンク／上りリンク信号は、該特定セルに通信サービスを提供するｅＮＢ或いはノードからの／への下りリンク／上りリンク信号を意味する。ＵＥに上り／下りリンク通信サービスを提供するセルを特にサービングセル（ｓｅｒｖｉｎｇ  ｃｅｌｌ）という。また、特定セルのチャネル状態／品質は、該特定セルに通信サービスを提供するｅＮＢ或いはノードとＵＥ間に形成されたチャネル或いは通信リンクのチャネル状態／品質を意味する。３ＧＰＰ ＬＴＥ−Ａベースのシステムにおいて、ＵＥは、特定ノードからの下りリンクチャネル状態を、前記特定ノードのアンテナポートが前記特定ノードに割り当てられたＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）リソース上で送信するＣＳＩ−ＲＳを用いて測定することができる。一般に、隣接したノードは、互いに直交するＣＳＩ−ＲＳリソース上で該当のＣＳＩ−ＲＳリソースを送信する。ＣＳＩ−ＲＳリソースが直交するということは、ＣＳＩ−ＲＳを運ぶシンボル及び副搬送波を特定するＣＳＩ−ＲＳリソース構成（ｒｅｓｏｕｒｃｅ  ｃｏｎｆｉｇｕｒａｔｉｏｎ）、サブフレームオフセット（ｏｆｆｓｅｔ）及び送信周期（ｔｒａｎｓｍｉｓｓｉｏｎ  ｐｅｒｉｏｄ）などによってＣＳＩ−ＲＳが割り当てられたサブフレームを特定するサブフレーム構成（ｓｕｂｆｒａｍｅ  ｃｏｎｆｉｇｕｒａｔｉｏｎ）、ＣＳＩ−ＲＳシーケンスのうちの少なくとも１つが互いに異なることを意味する。
【００４０】
本発明において、ＰＤＣＣＨ（Ｐｈｙｓｉｃａｌ  Ｄｏｗｎｌｉｎｋ  Ｃｏｎｔｒｏｌ  ＣＨａｎｎｅｌ）／ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）／ＰＨＩＣＨ（（Ｐｈｙｓｉｃａｌ  Ｈｙｂｒｉｄ  ａｕｔｏｍａｔｉｃ  ｒｅｔｒａｎｓｍｉｔ  ｒｅｑｕｅｓｔ  Ｉｎｄｉｃａｔｏｒ  ＣＨａｎｎｅｌ）／ＰＤＳＣＨ（Ｐｈｙｓｉｃａｌ  Ｄｏｗｎｌｉｎｋ  Ｓｈａｒｅｄ  ＣＨａｎｎｅｌ）はそれぞれ、ＤＣＩ（Ｄｏｗｎｌｉｎｋ  Ｃｏｎｔｒｏｌ  Ｉｎｆｏｒｍａｔｉｏｎ）／ＣＦＩ（Ｃｏｎｔｒｏｌ  Ｆｏｒｍａｔ  Ｉｎｄｉｃａｔｏｒ）／下りリンクＡＣＫ／ＮＡＣＫ（ＡＣＫｎｏｗｌｅｇｅｍｅｎｔ／Ｎｅｇａｔｉｖｅ  ＡＣＫ）／下りリンクデータを運ぶ時間−周波数リソースの集合或いはリソース要素の集合を意味する。また、ＰＵＣＣＨ（Ｐｈｙｓｉｃａｌ  Ｕｐｌｉｎｋ  Ｃｏｎｔｒｏｌ  ＣＨａｎｎｅｌ）／ＰＵＳＣＨ（Ｐｈｙｓｉｃａｌ  Ｕｐｌｉｎｋ  Ｓｈａｒｅｄ  ＣＨａｎｎｅｌ）／ＰＲＡＣＨ（Ｐｈｙｓｉｃａｌ  Ｒａｎｄｏｍ  Ａｃｃｅｓｓ  ＣＨａｎｎｅｌ）はそれぞれ、ＵＣＩ（Ｕｐｌｉｎｋ  Ｃｏｎｔｒｏｌ  Ｉｎｆｏｒｍａｔｉｏｎ）／上りリンクデータ／ランダムアクセス信号を運ぶ時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、又はそれに属した時間−周波数リソース或いはリソース要素（Ｒｅｓｏｕｒｃｅ  Ｅｌｅｍｅｎｔ、ＲＥ）をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと呼ぶ。以下でユーザ機器がＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で或いは介して上りリンク制御情報／上りリンクデータ／ランダムアクセス信号を送信するという表現と同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で或いは介して下りリンクデータ／制御情報を送信するという表現と同じ意味で使われる。
【００４１】
図１は、無線通信システムで用いられる無線フレーム構造の一例を示す図である。特に、図１（ａ）は、３ＧＰＰ ＬＴＥ／ＬＴＥ−Ａシステムで用いられる周波数分割デュプレックス（ｆｒｅｑｕｅｎｃｙ  ｄｉｖｉｓｉｏｎ  ｄｕｐｌｅｘ、ＦＤＤ）用フレーム構造を示しており、図１（ｂ）は、３ＧＰＰ ＬＴＥ／ＬＴＥ−Ａシステムで用いられる時分割デュプレックス（ｔｉｍｅ  ｄｉｖｉｓｉｏｎ  ｄｕｐｌｅｘ、ＴＤＤ）用フレーム構造を示している。
【００４２】
図１を参照すると、３ＧＰＰ ＬＴＥ／ＬＴＥ−Ａシステムで用いられる無線フレームは、１０ｍｓ（３０７２００Ｔｓ）の長さを有し、１０個の均等なサイズのサブフレーム（ｓｕｂｆｒａｍｅ、ＳＦ）で構成される。1無線フレームにおける１０個のサブフレームにはそれぞれ番号を与えることができる。ここで、Ｔｓは、サンプリング時間を表し、Ｔｓ＝１／（２０４８＊１５ｋＨｚ）で表示される。それぞれのサブフレームは、１ｍｓの長さを有し、２個のスロットで構成される。1無線フレームにおいて２０個のスロットには０から１９までの番号を順次に与えることができる。それぞれのスロットは０．５ｍｓの長さを有する。１サブフレームを送信するための時間は、送信時間間隔（ｔｒａｎｓｍｉｓｓｉｏｎ  ｔｉｍｅ  ｉｎｔｅｒｖａｌ、ＴＴＩ）と定義される。時間リソースは、無線フレーム番号（或いは、無線フレームインデックスともいう）、サブフレーム番号（或いは、サブフレームインデックスともいう）、スロット番号（或いは、スロットインデックスともいう）などによって区別することができる。
【００４３】
無線フレームは、デュプレックス（ｄｕｐｌｅｘ）技法によって別々に設定（ｃｏｎｆｉｇｕｒｅ）することができる。例えば、ＦＤＤにおいて、下りリンク送信及び上りリンク送信は周波数によって区別されるため、無線フレームは特定周波数帯域に対して下りリンクサブフレーム又は上りリンクサブフレームのいずれか１つのみを含む。ＴＤＤでは下りリンク送信及び上りリンク送信が時間によって区別されるため、特定周波数帯域に対して無線フレームは下りリンクサブフレームも上りリンクサブフレームも含む。
【００４４】
表１は、ＴＤＤで、無線フレームにおけるサブフレームのＤＬ−ＵＬ構成（ｃｏｎｆｉｇｕｒａｔｉｏｎ）を例示するものである。
【００４５】
【表１】
0006639650.tif 000002
【００４６】
表１で、Ｄは下りリンクサブフレームを、Ｕは上りリンクサブフレームを、Ｓは特異（ｓｐｅｃｉａｌ）サブフレームを表す。特異サブフレームは、ＤｗＰＴＳ（Ｄｏｗｎｌｉｎｋ  Ｐｉｌｏｔ  ＴｉｍｅＳｌｏｔ）、ＧＰ（Ｇｕａｒｄ  Ｐｅｒｉｏｄ）、ＵｐＰＴＳ（Ｕｐｌｉｎｋ  Ｐｉｌｏｔ  ＴｉｍｅＳｌｏｔ）の３つのフィールドを含む。ＤｗＰＴＳは、下りリンク送信のために留保される時間区間であり、ＵｐＰＴＳは上りリンク送信のために留保される時間区間である。表２は、特異サブフレーム構成を例示するものである。
【００４７】
【表２】
0006639650.tif 000003
【００４８】
図２は、無線通信システムにおいて下りリンク／上りリンク（ＤＬ／ＵＬ）スロット構造の一例を示す図である。特に、図２は、３ＧＰＰ ＬＴＥ／ＬＴＥ−Ａシステムのリソース格子（ｒｅｓｏｕｒｃｅ  ｇｒｉｄ）の構造を示す。アンテナポート当たりに１個のリソース格子がある。
【００４９】
図２を参照すると、スロットは、時間ドメイン（ｔｉｍｅ  ｄｏｍａｉｎ）で複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、周波数ドメイン（ｆｒｅｑｕｅｎｃｙ  ｄｏｍａｉｎ）で複数のリソースブロック（ｒｅｓｏｕｒｃｅ  ｂｌｏｃｋ、ＲＢ）を含む。ＯＦＤＭシンボルは、１シンボル区間を意味することもある。図２を参照すると、各スロットで送信される信号は、
【数１】
0006639650.tif 000004
個の副搬送波（ｓｕｂｃａｒｒｉｅｒ）と
【数２】
0006639650.tif 000005
個のＯＦＤＭシンボルとで構成されるリソース格子（ｒｅｓｏｕｒｃｅ  ｇｒｉｄ）と表現することができる。ここで、
【数３】
0006639650.tif 000006
は、下りリンクスロットにおけるリソースブロック（ｒｅｓｏｕｒｃｅ  ｂｌｏｃｋ、ＲＢ）の個数を表し、
【数４】
0006639650.tif 000007
は、ＵＬスロットにおけるＲＢの個数を表す。
【数５】
0006639650.tif 000008
は、ＤＬ送信帯域幅とＵＬ送信帯域幅にそれぞれ依存する。
【数６】
0006639650.tif 000009
は、下りリンクスロットにおけるＯＦＤＭシンボルの個数を表し、
【数７】
0006639650.tif 000010
は、ＵＬスロットにおけるＯＦＤＭシンボルの個数を表す。
【数８】
0006639650.tif 000011
は、１つのＲＢを構成する副搬送波の個数を表す。
【００５０】
ＯＦＤＭシンボルは、多元接続方式によって、ＯＦＤＭシンボル、ＳＣ−ＦＤＭ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘｉｎｇ）シンボルなどと呼ぶことができる。１つのスロットに含まれるＯＦＤＭシンボルの数は、チャネル帯域幅、ＣＰ長によって様々に変更可能である。例えば、正規（ｎｏｒｍａｌ）ＣＰの場合は、１つのスロットが７個のＯＦＤＭシンボルを含むが、拡張（ｅｘｔｅｎｄｅｄ）ＣＰの場合は、１つのスロットが６個のＯＦＤＭシンボルを含む。図２では、説明の便宜のために、１つのスロットが７ ＯＦＤＭシンボルで構成されるサブフレームを例示するが、本発明の実施例は、その他の個数のＯＦＤＭシンボルを有するサブフレームにも同様の方式で適用されてもよい。図２を参照すると、各ＯＦＤＭシンボルは、周波数ドメインで、
【数９】
0006639650.tif 000012
個の副搬送波を含む。副搬送波の類型は、データ送信のためのデータ副搬送波、参照信号（ｒｅｆｅｒｅｎｃｅ  ｓｉｇｎａｌ）の送信のための参照信号副搬送波、ガードバンド（ｇｕａｒｄ  ｂａｎｄ）及びＤＣ（Ｄｉｒｅｃｔ  Ｃｕｒｒｅｎｔ）成分のためのヌル（ｎｕｌｌ）副搬送波に分類することができる。 ＤＣ成分のためのヌル副搬送波は、未使用のまま残される副搬送波であり、ＯＦＤＭ信号生成過程或いは周波数アップ変換過程で搬送波周波数（ｃａｒｒｉｅｒ  ｆｒｅｑｕｅｎｃｙ、ｆ０）にマップされる。搬送波周波数は中心周波数（ｃｅｎｔｅｒ  ｆｒｅｑｕｅｎｃｙ、ｆｃ）と呼ばれることもある。
【００５１】
１ ＲＢは、時間ドメインで
【数１０】
0006639650.tif 000013
個（例えば、７個）の連続するＯＦＤＭシンボルと定義され、周波数ドメインで
【数１１】
0006639650.tif 000014
個（例えば、１２個）の連続する副搬送波と定義される。参考として、１つのＯＦＤＭシンボルと１つの副搬送波で構成されたリソースをリソース要素（ｒｅｓｏｕｒｃｅ  ｅｌｅｍｅｎｔ、ＲＥ）或いはトーン（ｔｏｎｅ）という。したがって、１つのＲＢは、
【数１２】
0006639650.tif 000015
個のリソース要素で構成される。リソース格子における各リソース要素は、１つのスロットにおけるインデックス対（ｋ，１）によって固有に定義できる。ｋは、周波数ドメインで０から
【数１３】
0006639650.tif 000016
まで与えられるインデックスであり、ｌは、時間ドメインで０から
【数１４】
0006639650.tif 000017
まで与えられるインデックスである。
【００５２】
１サブフレームにおいて
【数１５】
0006639650.tif 000018
個の連続した同一副搬送波を占有しながら、当該サブフレームにおける２個のスロットのそれぞれに１個ずつ位置する２個のＲＢを物理リソースブロック（ｐｈｙｓｉｃａｌ  ｒｅｓｏｕｒｃｅ  ｂｌｏｃｋ、ＰＲＢ）対（ｐａｉｒ）という。ＰＲＢ対を構成する２個のＲＢは、同一のＰＲＢ番号（或いは、、ＰＲＢインデックスともいう）を有する。ＶＲＢは、リソース割当のために導入された一種の論理的リソース割当単位である。ＶＲＢはＰＲＢと同じサイズを有する。ＶＲＢをＰＲＢにマップする方式によって、ＶＲＢは、局部（ｌｏｃａｌｉｚｅｄ）タイプのＶＲＢと分散（ｄｉｓｔｒｉｂｕｔｅｄ）タイプのＶＲＢとに区別される。局部タイプのＶＲＢはＰＲＢに直接マップされて、ＶＲＢ番号（ＶＲＢインデックスともいう）がＰＲＢ番号に直接対応する。すなわち、ｎＰＲＢ＝ｎＶＲＢとなる。局部タイプのＶＲＢには０からＮＤＬＶＲＢ−１順に番号が与えられ、ＮＤＬＶＲＢ＝ＮＤＬＲＢである。したがって、局部マップ方式によれば、同一のＶＲＢ番号を有するＶＲＢが第１のスロットと第２のスロットにおいて、同一ＰＲＢ番号のＰＲＢにマップされる。一方、分散タイプのＶＲＢはインターリービングを経てＰＲＢにマップされる。そのため、同一のＶＲＢ番号を有する分散タイプのＶＲＢは、第１のスロットと第２のスロットにおいて互いに異なる番号のＰＲＢにマップされることがある。サブフレームの２つのスロットに１個ずつ位置し、同一のＶＲＢ番号を有する２個のＰＲＢをＶＲＢ対と称する。
【００５３】
図３は、３ＧＰＰ ＬＴＥ／ＬＴＥ−Ａシステムで用いられる下りリンク（ｄｏｗｎｌｉｎｋ、ＤＬ）サブフレーム構造を例示する図である。
【００５４】
図３を参照すると、ＤＬサブフレームは、時間ドメインで制御領域（ｃｏｎｔｒｏｌ  ｒｅｇｉｏｎ）とデータ領域（ｄａｔａ  ｒｅｇｉｏｎ）とに区別される。図３を参照すると、サブフレームの第１のスロットで先頭部における最大３（或いは４）個のＯＦＤＭシンボルは、制御チャネルが割り当てられる制御領域に対応する。以下、ＤＬサブフレームでＰＤＣＣＨ送信に利用可能なリソース領域（ｒｅｓｏｕｒｃｅ  ｒｅｇｉｏｎ）をＰＤＣＣＨ領域と称する。制御領域に用いられるＯＦＤＭシンボル以外のＯＦＤＭシンボルは、ＰＤＳＣＨが割り当てられるデータ領域に該当する。以下、ＤＬサブフレームでＰＤＳＣＨ送信に利用可能なリソース領域をＰＤＳＣＨ領域と称する。３ＧＰＰ ＬＴＥで用いられるＤＬ制御チャネルの例としては、ＰＣＦＩＣＨ、ＰＤＣＣＨ、ＰＨＩＣＨなどを含む。ＰＣＦＩＣＨは、サブフレームの最初のＯＦＤＭシンボルで送信され、サブフレームにおいて制御チャネルの送信に用いられるＯＦＤＭシンボルの個数に関する情報を運ぶ。ＰＨＩＣＨは、ＵＬ送信に対する応答としてＨＡＲＱ（Ｈｙｂｒｉｄ  Ａｕｔｏｍａｔｉｃ  Ｒｅｐｅａｔ  Ｒｅｑｕｅｓｔ）ＡＣＫ／ＮＡＣＫ（ａｃｋｎｏｗｌｅｄｇｍｅｎｔ／ｎｅｇａｔｉｖｅ−ａｃｋｎｏｗｌｅｄｇｍｅｎｔ）信号を運ぶ。
【００５５】
ＰＤＣＣＨを介して送信される制御情報を上りリンク制御情報（ＤＣＩ）と呼ぶ。ＤＣＩは、ＵＥ又はＵＥグループのためのリソース割当情報及び他の制御情報を含む。例えば、ＤＣＩは、ＤＬ共有チャネル（ｄｏｗｎｌｉｎｋ  ｓｈａｒｅｄ  ｃｈａｎｎｅｌ、ＤＬ−ＳＣＨ）の送信フォーマット及びリソース割当情報、ＵＬ共有チャネル（ｕｐｌｉｎｋ  ｓｈａｒｅｄ  ｃｈａｎｎｅｌ、ＵＬ−ＳＣＨ）の送信フォーマット及びリソース割当情報、ページングチャネル（ｐａｇｉｎｇ  ｃｈａｎｎｅｌ、ＰＣＨ）上のページング情報、ＤＬ−ＳＣＨ上のシステム情報、ＰＤＳＣＨ上で送信されるランダムアクセス応答のような上位層（ｕｐｐｅｒ  ｌａｙｅｒ）制御メッセージのリソース割当情報、ＵＥグループ内の個別ＵＥへの送信電力制御命令（Ｔｒａｎｓｍｉｔ  Ｃｏｎｔｒｏｌ  Ｃｏｍｍａｎｄ  Ｓｅｔ）、送信電力制御（Ｔｒａｎｓｍｉｔ  Ｐｏｗｅｒ  Ｃｏｎｔｒｏｌ）命令、ＶｏＩＰ（Ｖｏｉｃｅ  ｏｖｅｒ  ＩＰ）の活性化（ａｃｔｉｖａｔｉｏｎ）指示情報、ＤＡＩ（Ｄｏｗｎｌｉｎｋ  Ａｓｓｉｇｎｍｅｎｔ  Ｉｎｄｅｘ）などを含む。ＤＬ共有チャネル（ｄｏｗｎｌｉｎｋ  ｓｈａｒｅｄｃｈａｎｎｅｌ、ＤＬ−ＳＣＨ）の送信フォーマット（Ｔｒａｎｓｍｉｔ  Ｆｏｒｍａｔ）及びリソース割当情報は、ＤＬスケジューリング情報或いはＤＬグラント（ＤＬ  ｇｒａｎｔ）とも呼ばれ、ＵＬ共有チャネル（ｕｐｌｉｎｋ  ｓｈａｒｅｄ  ｃｈａｎｎｅｌ、ＵＬ−ＳＣＨ）の送信フォーマット及びリソース割当情報は、ＵＬスケジューリング情報或いはＵＬグラント（ＵＬ  ｇｒａｎｔ）とも呼ばれる。１つのＰＤＣＣＨが運ぶＤＣＩは、ＤＣＩフォーマットによってそのサイズと用途が異なり、符号化率によってそのサイズが異なり得る。現在３ＧＰＰ ＬＴＥシステムでは、上りリンク用にフォーマット０及び４、下りリンク用にフォーマット１、１Ａ、１Ｂ、１Ｃ、１Ｄ、２、２Ａ、２Ｂ、２Ｃ、３、３Ａなどの様々なフォーマットが定義されている。ＤＣＩフォーマットのそれぞれの用途に応じて、ホッピングフラグ、ＲＢ割当（ＲＢ  ａｌｌｏｃａｔｉｏｎ）、ＭＣＳ（ｍｏｄｕｌａｔｉｏｎ  ｃｏｄｉｎｇｓｃｈｅｍｅ）、ＲＶ（ｒｅｄｕｎｄａｎｃｙ  ｖｅｒｓｉｏｎ）、ＮＤＩ（ｎｅｗ  ｄａｔａ  ｉｎｄｉｃａｔｏｒ）、ＴＰＣ（ｔｒａｎｓｍｉｔ  ｐｏｗｅｒ  ｃｏｎｔｒｏｌ）、循環遷移ＤＭＲＳ（ｃｙｃｌｉｃ  ｓｈｉｆｔ  ｄｅｍｏｄｕｌａｔｉｏｎ  ｒｅｆｅｒｅｎｃｅ  ｓｉｇｎａｌ）、ＵＬインデックス、ＣＱＩ（ｃｈａｎｎｅｌ  ｑｕａｌｉｔｙ  ｉｎｆｏｒｍａｔｉｏｎ）要請、ＤＬ割当インデックス（ＤＬ  ａｓｓｉｇｎｍｅｎｔ  ｉｎｄｅｘ）、ＨＡＲＱプロセスナンバー、ＴＰＭＩ（ｔｒａｎｓｍｉｔｔｅｄ  ｐｒｅｃｏｄｉｎｇ  ｍａｔｒｉｘ  ｉｎｄｉｃａｔｏｒ）、ＰＭＩ（ｐｒｅｃｏｄｉｎｇ  ｍａｔｒｉｘ  ｉｎｄｉｃａｔｏｒ）情報などの制御情報が適宜選択された組合せが下りリンク制御情報としてＵＥに送信される。
【００５６】
一般に、ＵＥに構成された送信モード（ｔｒａｎｓｍｉｓｓｉｏｎ  ｍｏｄｅ、ＴＭ）によって当該ＵＥに送信可能なＤＣＩフォーマットが異なる。換言すれば、特定送信モードに構成されたＵＥのためには、いかなるＤＣＩフォーマットを用いてもよいわけではなく、特定送信モードに対応する一定ＤＣＩフォーマットのみを用いることができる。
【００５７】
ＰＤＣＣＨは、１つ又は複数の連続した制御チャネル要素（ｃｏｎｔｒｏｌ  ｃｈａｎｎｅｌ  ｅｌｅｍｅｎｔ、ＣＣＥ）の集成（ａｇｇｒｅｇａｔｉｏｎ）上で送信される。ＣＣＥは、ＰＤＣＣＨに無線チャネル状態に基づく符号化率（ｃｏｄｉｎｇ  ｒａｔｅ）を提供するために用いられる論理的割当ユニット（ｕｎｉｔ）である。ＣＣＥは、複数のリソース要素グループ（ｒｅｓｏｕｒｃｅ  ｅｌｅｍｅｎｔ  ｇｒｏｕｐ、ＲＥＧ）に対応する。例えば、１ ＣＣＥは９個のＲＥＧに対応し、１ ＲＥＧは４個のＲＥに対応する。３ＧＰＰ ＬＴＥシステムの場合、それぞれのＵＥのためにＰＤＣＣＨが位置してもよいＣＣＥセットを定義した。ＵＥが自身のＰＤＣＣＨを発見し得るＣＣＥセットを、ＰＤＣＣＨ探索空間、簡単に探索空間（Ｓｅａｒｃｈ  Ｓｐａｃｅ、ＳＳ）と呼ぶ。探索空間内でＰＤＣＣＨが送信されてもよい個別リソースをＰＤＣＣＨ候補（ｃａｎｄｉｄａｔｅ）と呼ぶ。ＵＥがモニタリング（ｍｏｎｉｔｏｒｉｎｇ）するＰＤＣＣＨ候補の集合を探索空間と定義する。３ＧＰＰ ＬＴＥ／ＬＴＥ−ＡシステムでそれぞれのＤＣＩフォーマットのための探索空間は異なるサイズを有してもよく、専用（ｄｅｄｉｃａｔｅｄ）探索空間と共通（ｃｏｍｍｏｎ）探索空間とが定義されている。専用探索空間は、ＵＥ−特定（ｓｐｅｃｉｆｉｃ）探索空間であり、それぞれの個別ＵＥのために構成（ｃｏｎｆｉｇｕｒａｔｉｏｎ）される。共通探索空間は、複数のＵＥのために構成される。次表は、探索空間を定義する集成レベルを例示するものである。
【００５８】
【表３】
0006639650.tif 000019
【００５９】
１つのＰＤＣＣＨ候補は、ＣＣＥ集成レベル（ａｇｇｒｅｇａｔｉｏｎ  ｌｅｖｅｌ）によって１、２、４又は８個のＣＣＥに対応する。ｅＮＢは、探索空間内の任意のＰＤＣＣＨ候補上で実際ＰＤＣＣＨ（ＤＣＩ）を送信し、ＵＥは、ＰＤＣＣＨ（ＤＣＩ）を探すために探索空間をモニタリングする。ここで、モニタリングとは、全てのモニタリングされるＤＣＩフォーマットによって当該探索空間内の各ＰＤＣＣＨの復号（ｄｅｃｏｄｉｎｇ）を試みる（ａｔｔｅｍｐｔ）ことを意味する。ＵＥは、前記複数のＰＤＣＣＨをモニタリングし、自身のＰＤＣＣＨを検出することができる。基本的に、ＵＥは、自身のＰＤＣＣＨが送信される位置を知らないことから、毎サブフレームごとに当該ＤＣＩフォーマットの全てのＰＤＣＣＨに対して、自身の識別子を有するＰＤＣＣＨを検出するまで復号を試みるが、このような過程をブラインド検出（ｂｌｉｎｄ  ｄｅｔｅｃｔｉｏｎ）（ブラインド復号（ｂｌｉｎｄ  ｄｅｃｏｄｉｎｇ、ＢＤ））という。
【００６０】
ｅＮＢは、データ領域を通してＵＥ或いはＵＥグループのためのデータを送信することができる。データ領域を通して送信されるデータをユーザデータと呼ぶこともできる。ユーザデータの送信のために、データ領域にはＰＤＳＣＨを割り当てることができる。ＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）は、ＰＤＳＣＨを介して送信される。ＵＥは、ＰＤＣＣＨを介して送信される制御情報を復号し、ＰＤＳＣＨを介して送信されるデータを読むことができる。ＰＤＳＣＨのデータがどのＵＥ或いはＵＥグループに送信されるか、前記ＵＥ或いはＵＥグループがどのようにＰＤＳＣＨデータを受信して復号すればよいかなどを示す情報がＰＤＣＣＨに含まれて送信される。例えば、特定ＰＤＣＣＨが“Ａ”というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣ（ｃｙｃｌｉｃ  ｒｅｄｕｎｄａｎｃｙ  ｃｈｅｃｋ）マスキング（ｍａｓｋｉｎｇ）されており、“Ｂ”という無線リソース（例、周波数位置）及び“Ｃ”という送信形式情報（例、送信ブロックサイズ、変調方式、コーディング情報など）を用いて送信されるデータに関する情報が特定ＤＬサブフレームで送信されると仮定する。ＵＥは、自身の所有しているＲＮＴＩ情報を用いてＰＤＣＣＨをモニタリングし、“Ａ”というＲＮＴＩを有しているＵＥはＰＤＣＣＨを検出し、受信したＰＤＣＣＨの情報によって“Ｂ”と“Ｃ”で示されるＰＤＳＣＨを受信する。
【００６１】
ＵＥがｅＮＢから受信した信号を復調するには、データ信号と比較する参照信号（ｒｅｆｅｒｅｎｃｅ  ｓｉｇｎａｌ、ＲＳ）が必要である。参照信号とは、ｅＮＢがＵＥに或いはＵＥがｅＮＢに送信する、ｅＮＢとＵＥが互いに知っている、予め定義された特別な波形の信号を意味し、パイロット（ｐｉｌｏｔ）とも呼ばれる。参照信号は、セル内の全ＵＥに共用されるセル−特定（ｃｅｌｌ−ｓｐｅｃｉｆｉｃ）ＲＳと特定ＵＥに専用される復調（ｄｅｍｏｄｕｌａｔｉｏｎ）ＲＳ（ＤＭ ＲＳ）とに区別される。ｅＮＢが特定ＵＥのための下りリンクデータの復調のために送信するＤＭ ＲＳをＵＥ−特定的（ＵＥ−ｓｐｅｃｉｆｉｃ）ＲＳと特別に称することもできる。下りリンクでＤＭ ＲＳとＣＲＳは共に送信されてもよいが、いずれか一方のみが送信されてもよい。ただし、下りリンクでＣＲＳ無しにＭ ＲＳのみを送信される場合、データと同じプリコーダを適用して送信されるＤＭ ＲＳは復調の目的にのみ用いることができるため、チャネル測定用ＲＳを別途に提供しなければならない。例えば、３ＧＰＰ ＬＴＥ（−Ａ）では、ＵＥがチャネル状態情報を測定できるようにするために、追加の測定用ＲＳであるＣＳＩ−ＲＳが当該ＵＥに送信される。ＣＳＩ−ＲＳは、チャネル状態について相対的に時間による変化度が大きくないという事実に着目し、毎サブフレームごとに送信されるＣＲＳとは違い、複数のサブフレームで構成される所定の送信周期ごとに送信される。
【００６２】
図４は、３ＧＰＰ ＬＴＥ／ＬＴＥ−Ａシステムで用いられる上りリンク（ＵＬ）サブフレーム構造の一例を示す図である。
【００６３】
図４を参照すると、ＵＬサブフレームは、周波数ドメインで制御領域とデータ領域とに区別できる。１つ又は複数のＰＵＣＣＨを上りリンク制御情報（ＵＣＩ）を運ぶために制御領域に割り当てることができる。１つ又は複数のＰＵＳＣＨをユーザデータを運ぶためにＵＬサブフレームのデータ領域に割り当てることができる。
【００６４】
ＵＬサブフレームではＤＣ（Ｄｉｒｅｃｔ  Ｃｕｒｒｅｎｔ）副搬送波から遠く離れた副搬送波が制御領域として用いられる。換言すれば、ＵＬ送信帯域幅の両端部に位置する副搬送波が上りリンク制御情報の送信に割り当てられる。ＤＣ副搬送波は、信号送信に用いられずに残される成分であり、周波数上り変換過程で搬送波周波数ｆ０にマップされる。１つのＵＥのＰＵＣＣＨは１つのサブフレームで、１つの搬送波周波数で動作するリソースに属したＲＢ対に割り当てられ、このＲＢ対に属したＲＢは、２つのスロットでそれぞれ異なる副搬送波を占有する。このように割り当てられるＰＵＣＣＨを、ＰＵＣＣＨに割り当てられたＲＢ対がスロット境界で周波数ホッピングすると表現する。ただし、周波数ホッピングが適用されない場合には、ＲＢ対が同一の副搬送波を占有する。
【００６５】
ＰＵＣＣＨは、次の制御情報を送信するために用いることができる。
【００６６】
−  ＳＲ（Ｓｃｈｅｄｕｌｉｎｇ  Ｒｅｑｕｅｓｔ）：上りリンクＵＬ−ＳＣＨリソースを要請するために用いられる情報である。ＯＯＫ（Ｏｎ−Ｏｆｆ  Ｋｅｙｉｎｇ）方式を用いて送信される。
【００６７】
−  ＨＡＲＱ−ＡＣＫ：ＰＤＣＣＨに対する応答及び／又はＰＤＳＣＨ上の下りリンクデータパケット（例、コードワード）に対する応答である。ＰＤＣＣＨ或いはＰＤＳＣＨが成功的に受信されたか否かを示す。単一下りリンクコードワードに対する応答としてＨＡＲＱ−ＡＣＫ １ビットが送信され、２つの下りリンクコードワードに対する応答としてＨＡＲＱ−ＡＣＫ ２ビットが送信される。ＨＡＲＱ−ＡＣＫ応答は、ポジティブＡＣＫ（簡単に、ＡＣＫ）、ネガティブＡＣＫ（以下、ＮＡＣＫ）、ＤＴＸ（Ｄｉｓｃｏｎｔｉｎｕｏｕｓ  Ｔｒａｎｓｍｉｓｓｉｏｎ）又はＮＡＣＫ／ＤＴＸを含む。ここで、ＨＡＲＱ−ＡＣＫという用語は、ＨＡＲＱ ＡＣＫ／ＮＡＣＫ、ＡＣＫ／ＮＡＣＫと同じ意味で使われる。
【００６８】
−ＣＳＩ（Ｃｈａｎｎｅｌ  Ｓｔａｔｅ  Ｉｎｆｏｒｍａｔｉｏｎ）：下りリンクチャネルに対するフィードバック情報（ｆｅｅｄｂａｃｋ  ｉｎｆｏｒｍａｔｉｏｎ）である。ＭＩＭＯ（Ｍｕｌｔｉｐｌｅ  Ｉｎｐｕｔ  Ｍｕｌｔｉｐｌｅ  Ｏｕｔｐｕｔ）−関連フィードバック情報は、ＲＩ（Ｒａｎｋ  Ｉｎｄｉｃａｔｏｒ）及びＰＭＩ（Ｐｒｅｃｏｄｉｎｇ  Ｍａｔｒｉｘ  Ｉｎｄｉｃａｔｏｒ）を含む。
【００６９】
ＵＥがサブフレームで送信可能な上りリンク制御情報（ＵＣＩ）の量は、制御情報送信に可用なＳＣ−ＦＤＭＡの個数に依存する。ＵＣＩに可用なＳＣ−ＦＤＭＡは、サブフレームにおいて参照信号の送信のためのＳＣ−ＦＤＭＡシンボルを除く残りのＳＣ−ＦＤＭＡシンボルを意味し、ＳＲＳ（Ｓｏｕｎｄｉｎｇ  Ｒｅｆｅｒｅｎｃｅ  Ｓｉｇｎａｌ）が構成されているサブフレームでは、サブフレームの最後のＳＣ−ＦＤＭＡシンボルも除く。参照信号は、ＰＵＣＣＨのコヒーレント（ｃｏｈｅｒｅｎｔ）検出に用いられる。ＰＵＣＣＨは、送信される情報によって様々なフォーマットを支援する。
【００７０】
下記の表４に、ＬＴＥ／ＬＴＥ−ＡシステムでＰＵＣＣＨフォーマットとＵＣＩとのマッピング関係を示す。
【００７１】
【表４】
0006639650.tif 000020
【００７２】
表４を参照すると、主に、ＰＵＣＣＨフォーマット１系列はＡＣＫ／ＮＡＣＫ情報を送信するために用いられ、ＰＵＣＣＨフォーマット２系列はＣＱＩ／ＰＭＩ／ＲＩなどのチャネル状態情報（ＣＳＩ）を運ぶために用いられ、ＰＵＣＣＨフォーマット３系列はＡＣＫ／ＮＡＣＫ情報を送信するために用いられる。
【００７３】
一般に、セルラー通信システムにおいて、端末の位置情報をネットワークが取得するための様々な方法が用いられている。その代表に、ＬＴＥシステムにおいて端末機は、基地局のＰＲＳ（Ｐｏｓｉｔｉｏｎｉｎｇ  Ｒｅｆｅｒｅｎｃｅ  Ｓｉｇｎａｌ）送信関連情報が上位層信号によって設定され、端末周辺のセルが送信するＰＲＳを測定して、参照基地局から送信したＰＲＳ信号の受信時点と隣の基地局から送信したＰＲＳ信号の受信時点との差であるＲＳＴＤ（ｒｅｆｅｒｅｎｃｅ  ｓｉｇｎａｌ  ｔｉｍｅ  ｄｉｆｆｅｒｅｎｃｅ）を、基地局又はネットワークに伝達し、ネットワークは、ＲＳＴＤ及びそれ以外の情報を活用して端末機の位置を計算する、ＯＴＤＯＡ（Ｏｂｓｅｒｖｅｄ  Ｔｉｍｅ  Ｄｉｆｆｅｒｅｎｃｅ  Ｏｆ  Ａｒｒｉｖａｌ）によるポジショニング技法方式などがある。その他に、Ａ−ＧＮＳＳ（Ａｓｓｉｓｔｅｄ  Ｇｌｏｂａｌ  Ｎａｖｉｇａｔｉｏｎ  Ｓａｔｅｌｌｉｔｅ  Ｓｙｓｔｅｍ）ポジショニング技法、Ｅ−ＣＩＤ（Ｅｎｈａｎｃｅｄ  Ｃｅｌｌ−ＩＤ）技法、ＵＴＤＯＡ（Ｕｐｌｉｎｋ  Ｔｉｍｅ  Ｄｉｆｆｅｒｅｎｃｅ  ｏｆ  Ａｒｒｉｖａｌ）などの方式も存在し、このようなポジショニング方式によって各種位置ベースサービス（例えば、広告、位置追跡、非常用通信手段など）への活用が可能である。
【００７４】
［ＬＴＥ  ｐｏｓｉｔｉｏｎｉｎｇ  ｐｒｏｔｏｃｏｌ］
【００７５】
ＬＴＥシステムでは前記ＯＴＤＯＡ技法を支援するためにＬＰＰ（ＬＴＥ  ｐｏｓｉｔｉｏｎｉｎｇ  ｐｒｏｔｏｃｏｌ）を定義しており、ＬＰＰではＩＥ（ｉｎｆｏｒｍａｔｉｏｎ  ｅｌｅｍｅｎｔ）として端末に、次の構成を有するＯＴＤＯＡ−ＰｒｏｖｉｄｅＡｓｓｉｓｔａｎｃｅＤａｔａを知らせる。
【００７６】
-- ASN1START
【００７７】
OTDOA-ProvideAssistanceData ::= SEQUENCE [
【００７８】
otdoa-ReferenceCellInfo    OTDOA-ReferenceCellInfo OPTIONAL, -- Need ON
【００７９】
otdoa-NeighbourCellInfo OTDOA-NeighbourCellInfoList OPTIONAL, -- Need ON
【００８０】
otdoa-Error OTDOA-Error OPTIONAL, -- Need ON
【００８１】
...
【００８２】
]
【００８３】
-- ASN1STOP
【００８４】
ここで、ＯＴＤＯＡ−ＲｅｆｅｒｅｎｃｅＣｅｌｌＩｎｆｏは、ＲＳＴＤ測定の基準となるセルを意味し、次のように構成される。
【００８５】
-- ASN1START
【００８６】
OTDOA-ReferenceCellInfo ::= SEQUENCE [
【００８７】
physCellId INTEGER (0..503),
【００８８】
cellGlobalId ECGI OPTIONAL, -- Need ON
【００８９】
earfcnRef ARFCN-ValueEUTRA OPTIONAL, -- Cond NotSameAsServ0
【００９０】
antennaPortConfig ENUMERATED [ports1-or-2, ports4, ... ]
【００９１】
OPTIONAL, -- Cond NotSameAsServ1
【００９２】
cpLength ENUMERATED [ normal, extended, ... ],
【００９３】
prsInfo PRS-Info OPTIONAL, -- Cond PRS
【００９４】
...,
【００９５】
[[ earfcnRef-v9a0 ARFCN-ValueEUTRA-v9a0 OPTIONAL -- Cond NotSameAsServ2
【００９６】
]]
【００９７】
]
【００９８】
-- ASN1STOP
【００９９】
ここで、存在条件（ｃｏｎｄｉｔｉｏｎａｌ  ｐｒｅｓｅｎｃｅ）は、次のとおりである。
【０１００】
【表５】
0006639650.tif 000021
【０１０１】
また、前記におけるＯＴＤＯＡ−ＲｅｆｅｒｅｎｃｅＣｅｌｌＩｎｆｏの各個別フィールドは、次のとおりである。
【０１０２】
【表６】
0006639650.tif 000022
【０１０３】
一方、ＯＴＤＯＡ−ＮｅｉｇｈｂｏｕｒＣｅｌｌＩｎｆｏは、ＲＳＴＤ測定の対象となるセル（例えば、ｅＮＢ又はＴＰ）を意味し、最大で３個の周波数レイヤ（Ｆｒｅｑｕｅｎｃｙ  Ｌａｙｅｒ）に対して各周波数レイヤ別に最大で２４個の隣接セル情報を含むことができる。すなわち、トータル３＊２４＝７２個のセルに関する情報を端末に知らせることができる。
【０１０４】
-- ASN1START
【０１０５】
OTDOA-NeighbourCellInfoList ::= SEQUENCE (SIZE (1..maxFreqLayers)) OF OTDOA-NeighbourFreqInfo
【０１０６】
OTDOA-NeighbourFreqInfo ::= SEQUENCE (SIZE (1..24)) OF OTDOA-NeighbourCellInfoElement
【０１０７】
OTDOA-NeighbourCellInfoElement ::= SEQUENCE [
【０１０８】
physCellId INTEGER (0..503),
【０１０９】
cellGlobalId ECGI OPTIONAL, -- Need ON
【０１１０】
Earfcn ARFCN-ValueEUTRA OPTIONAL, -- Cond NotSameAsRef0
【０１１１】
cpLength ENUMERATED [normal, extended, ...] 
【０１１２】
OPTIONAL, -- Cond NotSameAsRef1
【０１１３】
prsInfo PRS-Info OPTIONAL, -- Cond NotSameAsRef2
【０１１４】
antennaPortConfig ENUMERATED [ports-1-or-2, ports-4, ...]
【０１１５】
OPTIONAL, -- Cond NotsameAsRef3
【０１１６】
slotNumberOffset INTEGER (0..19) OPTIONAL, -- Cond NotSameAsRef4
【０１１７】
prs-SubframeOffset INTEGER (0..1279)OPTIONAL, -- Cond InterFreq
【０１１８】
expectedRSTD INTEGER (0..16383),
【０１１９】
expectedRSTD-Uncertainty INTEGER (0..1023),
【０１２０】
...,
【０１２１】
[[ earfcn-v9a0 ARFCN-ValueEUTRA-v9a0OPTIONAL -- Cond NotSameAsRef5
【０１２２】
]]
【０１２３】
]
【０１２４】
maxFreqLayers     INTEGER ::= 3
【０１２５】
-- ASN1STOP
【０１２６】
ここで、存在条件（ｃｏｎｄｉｔｉｏｎａｌ  ｐｒｅｓｅｎｃｅ）は次のとおりである。
【０１２７】
【表７】
0006639650.tif 000023
0006639650.tif 000024
【０１２８】
また、前記においてＯＴＤＯＡ−ＮｅｉｇｈｂｏｕｒＣｅｌｌＩｎｆｏＬｉｓｔの各個別フィールドは次のとおりである。
【０１２９】
【表８】
0006639650.tif 000025
0006639650.tif 000026
【０１３０】
ここで、ＯＴＤＯＡ−ＲｅｆｅｒｅｎｃｅＣｅｌｌＩｎｆｏとＯＴＤＯＡ−ＮｅｉｇｈｂｏｕｒＣｅｌｌＩｎｆｏに含まれるＩＥであるＰＲＳ−ＩｎｆｏにＰＲＳ情報を含んでおり、具体的に、ＰＲＳ  Ｂａｎｄｗｉｄｔｈ、ＰＲＳ  Ｃｏｎｆｉｇｕｒａｔｉｏｎ  Ｉｎｄｅｘ（ＩＰＲＳ）、Ｎｕｍｂｅｒ  ｏｆ  Ｃｏｎｓｅｃｕｔｉｖｅ  Ｄｏｗｎｌｉｎｋ  Ｓｕｂｆｒａｍｅｓ、ＰＲＳ  Ｍｕｔｉｎｇ  Ｉｎｆｏｒｍａｔｉｏｎで下記のように構成される。
【０１３１】
PRS-Info ::= SEQUENCE [
【０１３２】
prs-Bandwidth ENUMERATED [ n6, n15, n25, n50, n75, n100, ... ],
【０１３３】
prs-ConfigurationIndex INTEGER (0..4095),
【０１３４】
numDL-Frames ENUMERATED [sf-1, sf-2, sf-4, sf-6, ...],
【０１３５】
...,
【０１３６】
prs-MutingInfo-r9 CHOICE [
【０１３７】
po2-r9 BIT STRING (SIZE(2)),
【０１３８】
po4-r9 BIT STRING (SIZE(4)),
【０１３９】
po8-r9 BIT STRING (SIZE(8)),
【０１４０】
po16-r9 BIT STRING (SIZE(16)),
【０１４１】
...
【０１４２】
]         OPTIONAL -- Need OP
【０１４３】
]
【０１４４】
-- ASN1STOP
【０１４５】
図５は、前記パラメータによるＰＲＳ送信構造を示す図である。
【０１４６】
このとき、ＰＲＳ  Ｐｅｒｉｏｄｉｃｉｔｙ及びＰＲＳ  Ｓｕｂｆｒａｍｅ  Ｏｆｆｓｅｔは、ＰＲＳ  Ｃｏｎｆｉｇｕｒａｔｉｏｎ  Ｉｎｄｅｘ（ＩＰＲＳ）の値によって決められ、対応関係は次表のとおりである。
【０１４７】
【表９】
0006639650.tif 000027
【０１４８】
［ＰＲＳ（Ｐｏｓｉｔｉｏｎｉｎｇ  ｒｅｆｅｒｅｎｃｅ  ｓｉｇｎａｌ）］
【０１４９】
ＰＲＳは、１６０、３２０、６４０、又は１２８０ｍｓの周期で送信機会、すなわち、ポジショニング機会（ｐｏｓｉｔｉｏｎｉｎｇ  ｏｃｃａｓｉｏｎ）を有し、ポジショニング機会に、連続したＮ個のＤＬサブフレームで送信され得る。ここで、Ｎは１、２、４、又は６の値を有することができる。ＰＲＳがポジショニング機会において実質的に送信されてもよいが、セル間干渉制御協調のためにミュート（ｍｕｔｉｎｇ）されてもよい。このようなＰＲＳミューティングに関する情報はｐｒｓ−ＭｕｔｉｎｇＩｎｆｏでＵＥにシグナルされる。ＰＲＳの送信帯域幅は、サービング基地局のシステム帯域と違い、独立して設定することができ、６、１５、２５、５０、７５、又は１００ＲＢ（ｒｅｓｏｕｒｃｅ  ｂｌｏｃｋ）の周波数帯域で送信する。ＰＲＳの送信シーケンスは、擬似ランダム（ｐｓｅｕｄｏ−ｒａｎｄｏｍ）シーケンス発生器をスロットインデックス、ＯＦＤＭシンボルインデックス、ＣＰ（ｃｙｃｌｉｃ  ｐｒｅｆｉｘ）タイプ、及びセルＩＤの関数で毎ＯＦＤＭシンボルごとに初期化して生成される。生成されたＰＲＳの送信シーケンスは、一般ＣＰか又は拡張ＣＰかによって、図６（一般ＣＰ）及び図７（拡張ＣＰ）に示すようにリソース要素（ｒｅｓｏｕｒｃｅ  ｅｌｅｍｅｎｔ；ＲＥ）にマップされる。マッブされるＲＥの位置は周波数軸において移動（ｓｈｉｆｔ）し得るが、移動値はセルＩＤによって決定される。図６及び図７に示すＰＲＳ送信ＲＥの位置は、周波数移動（ｆｒｅｑｕｅｎｃｙ  ｓｈｉｆｔ）が０の場合である。
【０１５０】
ＵＥには、ＰＲＳ測定のためにネットワークの位置管理サーバーから、探索すべきＰＲＳのリストに関する設定情報が指定される。当該情報には参照セルのＰＲＳ設定情報及び隣接セルのＰＲＳ設定情報が含まれる。各ＰＲＳの設定情報にはポジショニング機会の発生周期及びオフセット、並びに１つのポジショニング機会を構成する連続したＤＬサブフレームの個数、ＰＲＳシーケンス生成に用いられたセルＩＤ、ＣＰタイプ、ＰＲＳマッピング時に考慮されたＣＲＳアンテナポートの個数などが含まれる。これに加えて、隣接セルのＰＲＳ設定情報には隣接セル及び参照セルのスロットオフセット及びサブフレームオフセット、並びに予想されるＲＳＴＤ及び予想ＲＳＴＤの不正確（Ｕｎｃｅｒｔａｉｎｔｙ）の度合いが含まれて、端末機が隣接セルから送信するＰＲＳを検出するためにどの時点にどれくらいの時間ウィンドウで当該ＰＲＳを探索せねばならないかを決定することを支援するようにする。
【０１５１】
一方、前記ＲＳＴＤとは、隣接又は隣セルｊと参照セルｉとの相対的なタイミング差を指す。すなわち、前記ＲＳＴＤはＴsubframeRxj−ＴsubframeRxiと表現でき、ＴsubframeRxjは、端末が隣接セルｊからの特定サブフレームの先頭を受信した時点であり、ＴsubframeRxiは、ＵＥが、前記隣接セルｊから受信した前記特定サブフレームに時間的に最も近い、参照セルｉからの前記特定サブフレームに対応するサブフレームの先頭を受信する時点である。観察されるサブフレーム時間差に対する基準ポイントは、前記ＵＥのアンテナコネクターである。
【０１５２】
ＲＳＴＤ測定のためのＣＲＳ関連シグナリング
【０１５３】
ＯＴＤＯＡポジショニングは、各基地局が送信したＰＲＳからのＲＳＴＤ測定の報告を受けたネットワークが、ＵＥの位置を推定する方式のことをいう。上述したように、ＲＳＴＤは、事前に指定された基準セルと隣接セルのサブフレームから測定された受信タイミング（例えば、到着時間（ｔｉｍｅ  ｏｆ  ａｒｒｉｖａｌ；ＴＯＡ）値の差を指し、ＵＥは報告のためにマッピングテーブルの特定値に変換してネットワークに報告する。
【０１５４】
前記ＯＴＤＯＡ−ＲｅｆｅｒｅｎｃｅＣｅｌｌＩｎｆｏフィールドに関する説明によれば、基準セルに対してｐｒｓＩｎｆｏが存在する場合、前記ｃｐＬｅｎｇｔｈは基準セルＰＲＳのＣＰ長情報を示し、したがって、基準セルＣＲＳのＣＰ長情報は存在しなくなる。同様に、ＯＴＤＯＡ−ＮｅｉｇｈｂｏｕｒＣｅｌｌＩｎｆｏＥｌｅｍｅｎｔフィールドに関する説明によれば、特定隣セルに対してＰＲＳが存在する場合、前記ｃｐＬｅｎｇｔｈは当該隣セルＰＲＳのＣＰ長情報を示し、したがって、当該隣セルＣＲＳのＣＰ長情報は存在しなくなる。
【０１５５】
ＵＥの具現によってＰＲＳを活用したり或いはＰＲＳ及びＣＲＳを共に活用してＯＴＤＯＡポジショニングのためのＲＳＴＤ測定を行うことが可能である。ＰＲＳ及びＣＲＳを共に活用してＲＳＴＤ測定を行う場合、ＰＲＳのみを活用する場合に比べて、測定用途のより多いリソースを確保するという効果が得られるので、正確度の向上に役立つこともある。
【０１５６】
一方、現在ＬＴＥ標準によれば、特定サブフレームにおいてＣＲＳとＰＲＳとが異なるタイプのＣＰを有し得るようになっている。例えば、ＭＢＳＦＮサブフレームとして設定されたサブフレーム内でポジショニング機会が設定された場合、ＭＢＳＦＮサブフレームにおいてＭＢＳＦＮ領域として設定されたＯＦＤＭシンボルのうち、ＰＲＳを含むＯＦＤＭシンボルのＣＰは拡張ＣＰであるに対し、ＣＲＳを含むＯＦＤＭシンボルのＣＰは一般ＣＰ（サブフレーム＃０が一般ＣＰである場合）に設定されることがある。すなわち、特定セルに対するＰＲＳのＣＰ長情報が提供されても、当該セルＣＲＳのＣＰ長に関する情報が提供されず、これに対する曖昧さ（ａｍｂｉｇｕｉｔｙ）が発生することもある。このようにＣＲＳのＣＰ長に関する情報が不明な場合、ＵＥのＲＳＴＤ測定正確度に悪影響を及ぼすこともある。
【０１５７】
同様に、特定セルのＣＲＳアンテナポート数、ＭＢＳＦＮサブフレーム設定に関連した情報が不明な場合、ＵＥの当該セルＣＲＳベースＲＳＴＤ測定正確度に悪影響を及ぼすことがある。一例として、特定セルＣＲＳのアンテナポート数が正確に提供される場合、ＵＥは、ＲＳＴＤ測定に用いられるべきリソースを正確に把握してＲＳＴＤ測定を行うことができる。他の例として、特定セルに対するＭＢＳＦＮサブフレーム設定に関連した情報が正確に提供される場合、特定サブフレームにおいて当該セルがＭＢＳＦＮサブフレームであるか否かが把握でき、当該サブフレーム内のＭＢＳＦＮ領域ではＣＲＳが送信されないことを把握可能になり、ＲＳＴＤ測定に用いられるべきリソースを正確に把握してＲＳＴＤ測定を行うことができる。そこで、本発明では次を提案する。
【０１５８】
ＵＥは、特定セルに関する次の情報の一部或いは全部を、ネットワーク（例えば、位置サーバー）から設定され得る。
【０１５９】
〔黒丸〕特定セルに対するＣＲＳのアンテナポート数情報
【０１６０】
〔黒四角〕一例として、特定セルに対するＣＲＳのアンテナポート数として１，２、或いは４のいずれか一つの値が明示的にＵＥに提供され得る。上述したように、現在ＬＴＥ標準では“１又は２アンテナポート”及び“４アンテナポート”の両方のいずれか一方の状態が指示される。
【０１６１】
〔黒丸〕特定セルに対するＭＢＳＦＮサブフレーム設定情報
【０１６２】
〔黒四角〕一例として、特定セルに対するＭＢＳＦＮサブフレーム設定情報として１或いは４無線フレーム（ｒａｄｉｏ  ｆｒａｍｅ）単位が明示的にＵＥに提供され得る。
【０１６３】
〔黒丸〕特定セルに対するＣＲＳのＣＰ長情報
【０１６４】
〔黒四角〕一例として、特定セルに対するＣＲＳのＣＰ長情報として一般ＣＰ或いは拡張ＣＰのいずれか一つの値が明示的にＵＥに提供され得る。
【０１６５】
〔黒四角〕他の例として、特定セルに対するＣＲＳとＰＲＳのＣＰ長が互いに異なる場合にのみＣＲＳのＣＰ長情報を示すフィールドが存在し、ＵＥは、ＣＲＳのＣＰ長情報を示すフィールドが存在しない場合、当該セルのＣＲＳとＰＲＳのＣＰ長が同一であると見なす。
【０１６６】
これらの情報はｆｅＩＣＩＣ（ｆｕｒｔｈｅｒ  ｅｎｈａｎｃｅｄ  ｉｎｔｅｒｃｅｌｌ  ｉｎｔｅｒｆｅｒｅｎｃｅ  ｃａｎｃｅｌａｔｉｏｎ）で議論されたＣＲＳ干渉除去のために提供された情報とは別に、ＬＰＰ（ＬＴＥ  ｐｏｓｉｔｉｏｎｉｎｇ  ｐｒｏｔｏｃｏｌ）を通じてＵＥに位置サーバーから設定され得る。ＵＥは、前記情報を用いて特定セルＣＲＳに対する曖昧さ（ａｍｂｉｇｕｉｔｙ）無しでＲＳＴＤ測定にＣＲＳを活用することができる。
【０１６７】
前記で提案された“特定セルに対するＣＲＳのアンテナポート数情報”、“特定セルに対するＭＢＳＦＮサブフレーム設定情報”、“特定セルに対するＣＲＳのＣＰ長情報”の全部或いは一部がネットワーク（例えば、位置サーバー）から設定されなかったＵＥはＲＳＴＤ測定にＣＲＳを活用しないようにＵＥ行動（ｂｅｈａｖｉｏｒ）に対する規則が定義されてもよい。
【０１６８】
或いは、前記で提案された“特定セルに対するＣＲＳのアンテナポート数情報”、“特定セルに対するＭＢＳＦＮサブフレーム設定情報”、“特定セルに対するＣＲＳのＣＰ長情報”の全部或いは一部がネットワーク（例えば、位置サーバー）から設定されなかったＵＥはＲＳＴＤ測定にＰＲＳのみを活用するようにＵＥ行動に対する規則が定義されてもよい。
【０１６９】
或いは、前記で提案された“特定セルに対するＣＲＳのアンテナポート数情報”、“特定セルに対するＭＢＳＦＮサブフレーム設定情報”、“特定セルに対するＣＲＳのＣＰ長情報”の全部或いは一部がネットワーク（例えば、位置サーバー）から設定されなかったＵＥは、ＲＳＴＤ測定にＣＲＳを使用する場合にアンテナポート０のみを活用するようにＵＥ行動に対する規則が定義されてもよい。
【０１７０】
或いは、前記で提案された“特定セルに対するＣＲＳのアンテナポート数情報”、“特定セルに対するＭＢＳＦＮサブフレーム設定情報”、“特定セルに対するＣＲＳのＣＰ長情報”の全部或いは一部がネットワーク（例えば、位置サーバー）から設定されなかったＵＥはＲＳＴＤ測定にＣＲＳを活用するが、特定ＯＦＤＭシンボル（例えば、インデックス＝０，１，４，７，８，１１のＯＦＤＭシンボルの一部／全部）のＣＲＳのみを活用するようにＵＥ行動に対する規則が定義されてもよい。
【０１７１】
ＲＳＴＤ測定のために他のＲＳが活用されるように規則が定義されたり又は第３のＲＳが新しく定義され、ＵＥに特定セルに対する当該ＲＳ関連設定がネットワーク（例えば、位置サーバー）から設定されてもよい。前記ＲＳ関連設定は、例えば、ＬＰＰ（ＬＴＥ  ｐｏｓｉｔｉｏｎｉｎｇ  ｐｒｏｔｏｃｏｌ）を用いて或いは特定上位層信号を用いて設定することができる。
【０１７２】
ＬＴＥ標準ではＯＴＤＯＡポジショニングを支援するために、ＲＳＴＤ測定のための補助データを位置サーバー（例えば、Ｅ−ＳＭＬＣ）からＵＥに提供することができる。このとき、ＲＳＴＤ測定のための基準セル（ｒｅｆｅｒｅｎｃｅ  ｃｅｌｌ）と対象セル（ｎｅｉｇｈｂｏｕｒ  ｃｅｌｌ）に関する情報はそれぞれ“ＯＴＤＯＡ−ＲｅｆｅｒｅｎｃｅＣｅｌｌＩｎｆｏ”と“ＯＴＤＯＡ−ＮｅｉｇｈｂｏｕｒＣｅｌｌＩｎｆｏＥｌｅｍｅｎｔ”にそれぞれ含まれるが、ＵＥは、この情報を活用してＰＲＳのタイミング測定を行って最終ＲＳＴＤ測定値を報告する。しかし、ＣｏＭＰシナリオ４のように特定セル内の複数のＴＰ／ＲＲＨ（ｒｅｍｏｔｅ  ｒａｄｉｏ  ｈｅａｄ）に同一の物理セルＩＤが割り当てられる場合、ＵＥは、当該複数のＴＰ／ＲＲＨに該当する一つの物理セルＩＤとして生成されて同一のＲＥにマップされてＰＲＳ／ＣＲＳが送信されるため、どのＴＰ／ＲＲＨから送信されたＰＲＳ／ＣＲＳであるかが区別できなくなる。
【０１７３】
このため、ＲＳＴＤ測定のための補助データが設定されたＵＥの特定の２つのセルに対する補助データ内の“ｐｈｙｓＣｅｌｌＩｄ”フィールドが同一値を示す場合、当該ＵＥの行動を次のように定義することができる。
【０１７４】
〔黒丸〕“ＯＴＤＯＡ−ＲｅｆｅｒｅｎｃｅＣｅｌｌＩｎｆｏ”と特定（１つ或いは複数）セルに対する“ＯＴＤＯＡ−ＮｅｉｇｈｂｏｕｒＣｅｌｌＩｎｆｏＥｌｅｍｅｎｔ”における“ｐｈｙｓＣｅｌｌＩｄ”フィールドが同一値を示す場合、
【０１７５】
〔黒四角〕ＵＥは基準セルに該当するＰＲＳ測定のみを行うのに対し、隣セルに対する測定は行わないように、規則を事前に定義することができる。この場合、ＵＥは隣セルに対するＲＳＴＤ測定を報告しない。
【０１７６】
〔黒四角〕ＵＥは基準セルに該当するＰＲＳ測定のみを行うのに対し、隣セルに対してはＰＲＳ測定のみを行うように又はＣＲＳ測定を行わないように、事前に規則が定義されてもよい。
【０１７７】
〔黒四角〕ＵＥは基準セルに該当するＰＲＳ及び／又はＣＲＳの測定を行うのに対し、隣セルに対する測定は行わないように、事前に規則が定義されてもよい。この場合、ＵＥは隣セルに対するＲＳＴＤ測定を報告しない。
【０１７８】
〔黒四角〕ＵＥは基準セルに該当するＰＲＳ及び／又はＣＲＳの測定を行い、隣セルに対してはＰＲＳ測定のみを行うように又はＣＲＳ測定を行わないように、事前に規則が定義されてもよい。
【０１７９】
〔黒丸〕特定複数セルに対する“ＯＴＤＯＡ−ＮｅｉｇｈｂｏｕｒＣｅｌｌＩｎｆｏＥｌｅｍｅｎｔ”における“ｐｈｙｓＣｅｌｌＩｄ”フィールドが同一値を示す場合。
【０１８０】
〔黒四角〕“ＯＴＤＯＡ−ＮｅｉｇｈｂｏｕｒＦｒｅｑＩｎｆｏ”内の最初の（或いは、事前に定義された／約束された）セルに対するＰＲＳ測定のみを行うのに対し、残りのセルに対する測定は行わないように、事前に規則を定義することができる。この場合、ＵＥは残りのセルに対するＲＳＴＤ測定を報告しない。
【０１８１】
〔黒四角〕“ＯＴＤＯＡ−ＮｅｉｇｈｂｏｕｒＦｒｅｑＩｎｆｏ”内の最初の（或いは、事前に定義された／約束された）セルに対するＰＲＳ測定のみを行うのに対し、残りのセルに対してはＰＲＳ測定のみを行うように又はＣＲＳ測定を行わないように、事前に規則が定義されてもよい。
【０１８２】
〔黒四角〕“ＯＴＤＯＡ−ＮｅｉｇｈｂｏｕｒＦｒｅｑＩｎｆｏ”内の最初の（或いは、事前に定義された／約束された）セルに対するＰＲＳ及び／又はＣＲＳの測定を行い、残りのセルに対する測定は行わないように、事前に規則が定義されてもよい。この場合、ＵＥは残りのセルに対するＲＳＴＤ測定を報告しない。
【０１８３】
〔黒四角〕“ＯＴＤＯＡ−ＮｅｉｇｈｂｏｕｒＦｒｅｑＩｎｆｏ”内の最初の（或いは、事前に定義された／約束された）セルに対するＰＲＳ及び／又はＣＲＳの測定を行い、残りのセルに対してはＰＲＳ測定のみを行うように又はＣＲＳ測定を行わないように、事前に規則が定義されてもよい。
【０１８４】
これらの規則は、複数セルに対する“ＯＴＤＯＡ−ＮｅｉｇｈｂｏｕｒＣｅｌｌＩｎｆｏＥｌｅｍｅｎｔ”が同一のＯＴＤＯＡ−ＮｅｉｇｈｂｏｕｒＦｒｅｑＩｎｆｏに含まれた場合にのみ（或いは、これと関係なく）適用されるように、事前に規則が定義されてもよい。
【０１８５】
各基地局或いはＴＰから送信されるＰＲＳ信号のチャネル特性をより正確に推定するために、当該ＰＲＳと同じ受信特性を有するＲＳに関する情報をさらに知らせることができる。これをチャネル特性のＱＣＬ（ｑｕａｓｉ−ｃｏ−ｌｏｃａｔｉｏｎ）情報ということができ、このようなＱＣＬ関係にある信号のチャネル特性とＰＲＳのチャネル特性に対する測定値を複合的に活用してＰＲＳのチャネル特性を最終決定することができる。
【０１８６】
“特定セルに対するＰＲＳと特定ＲＳ間のＱＣＬ情報”がネットワーク（例えば、位置サーバー）から設定されなかったＵＥはＲＳＴＤ測定にＰＲＳのみを活用するように或いは該当の特定ＲＳ（例えば、ＣＲＳ、ＣＳＩ−ＲＳなど）を用いないように、ＵＥ行動に対する規則を定義することができる。
【０１８７】
“特定セルに対するＰＲＳと特定ＲＳ間のＱＣＬ情報”はＰＲＳと特定ＲＳの（事前に定義／約束された）特定アンテナポートのみがＱＣＬ関係にあることを示してもよく、ネットワークからこのような情報が提供されたＵＥはＲＳＴＤ測定に当該ＲＳの特定アンテナポートのみを用いるように規則が定義されてもよい。
【０１８８】
上述した提案方式に対する一例も本発明の具現方法の一つとして含まれ得るので、これらの一例を一種の提案方式と見なしてもよいことは明白な事実である。また、上述した提案方式は独立して具現されてもよいが、一部の提案方式の組合せ（或いは、併合）の形態で具現されてもよい。これらの提案方法を適用するか否かの情報（或いは、これらの提案方法の規則に関する情報）は、基地局／位置サーバーが事前に定義されたシグナル（例えば、物理層シグナル或いは上位層シグナル）によって端末に知らせるように、規則を定義することができる。
【０１８９】
図８は、本発明の一実施例に係る動作を例示する。
【０１９０】
図８には、無線通信システムにおいて位置決定のための参照信号測定のための動作を示す。前記動作は端末８１によって行われる。
【０１９１】
前記端末は位置決定のための基準セル及び隣セルに関連した補助データを受信することができる（Ｓ８１０）。前記端末は前記補助データを用いて、前記基準セル及び前記隣セルのＰＲＳ（ｐｏｓｉｔｉｏｎｉｎｇ  ｒｅｆｅｒｅｎｃｅ  ｓｉｇｎａｌ）又はＣＲＳ（ｃｅｌｌ−ｓｐｅｃｉｆｉｃ  ｒｅｆｅｒｅｎｃｅ  ｓｉｇｎａｌ）を受信してＲＳＴＤ（ｒｅｆｅｒｅｎｃｅ  ｓｉｇｎａｌ  ｔｉｍｅ  ｄｉｆｆｅｒｅｎｃｅ）測定値を計算することができる（Ｓ８２０）。前記端末は前記測定値を位置サーバーに報告することができる（Ｓ８３０）。
【０１９２】
前記補助データは、基準セル及び隣セルのＣＲＳアンテナポート数に関する情報、ＣＲＳ  ＣＰ（ｃｙｃｌｉｃ  ｐｒｅｆｉｘ）長さ情報、又はＭＢＳＦＮ（ｍｕｌｔｉｃａｓｔ  ｂｒｏａｄｃａｓｔ  ｓｉｎｇｌｅ  ｆｒｅｑｅｕｎｃｙ  ｎｅｔｗｏｒｋ）サブフレームに関する設定情報を含むことができる。
【０１９３】
また、前記ＣＲＳアンテナポート数に関する情報は、ＣＲＳアンテナポート数１、２又は４のいずれか一つを示すことができる。
【０１９４】
また、前記ＣＲＳ  ＣＰ長情報は、前記基準セルのＰＲＳとＣＲＳのＣＰ長が異なったり、又は前記隣セルのＰＲＳとＣＲＳのＣＰ長が異なる場合にのみ存在し得る。前記補助データに前記ＣＲＳ  ＣＰ長情報が含まれないと、前記基準セルのＰＲＳとＣＲＳのＣＰ長が同一であってもよく、又は前記隣セルのＰＲＳとＣＲＳのＣＰ長が同一であってもよい。
【０１９５】
また、前記ＭＢＳＦＮサブフレームに関する設定情報としては１又は４無線フレーム（ｒａｄｉｏ  ｆｒａｍｅ）単位を提供することができる。
【０１９６】
また、前記補助データにＣＲＳアンテナポート数に関する情報、ＣＲＳ  ＣＰ長情報、又はＭＢＳＦＮサブフレームに関する設定情報の全部又は一部が含まれない特定セルに対しては、前記ＲＳＴＤ測定にＣＲＳが用いられてもよい。
【０１９７】
また、前記補助データにＣＲＳアンテナポート数に関する情報、ＣＲＳ  ＣＰ長情報、又はＭＢＳＦＮサブフレームに関する設定情報の全部又は一部が含まれない特定セルに対しては、前記端末はＣＲＳポート０を通じて送信されたＣＲＳのみを受信して前記ＲＳＴＤ測定値を計算することができる。
【０１９８】
また、前記補助データにＣＲＳアンテナポート数に関する情報、ＣＲＳ  ＣＰ長情報、又はＭＢＳＦＮサブフレームに関する設定情報の全部又は一部が含まれない特定セルに対しては、前記端末は特定ＯＦＤＭシンボル上のＣＲＳのみを受信して前記ＲＳＴＤ測定値を計算することができる。
【０１９９】
また、前記補助データにＣＲＳアンテナポート数に関する情報、ＣＲＳ  ＣＰ長情報、又はＭＢＳＦＮサブフレームに関する設定情報の全部又は一部が含まれない特定セルに対しては、前記端末はＰＲＳのみを受信してＲＳＴＤ測定値を計算することができる。
【０２００】
また、前記基準セルの物理層セルＩＤ（ｉｄｅｎｔｉｆｉｅｒ）フィールドと少なくとも一つの隣セルの物理層セルＩＤとが同一であれば、前記基準セルのＰＲＳのみがＲＳＴＤ測定に用いられ、前記少なくとも一つの隣セルに対してはＲＳＴＤ測定が行われなくてもよい。
【０２０１】
また、前記基準セルの物理層セルＩＤ（ｉｄｅｎｔｉｆｉｅｒ）フィールドと少なくとも一つの隣セルの物理層セルＩＤとが同一であれば、前記基準セルのＰＲＳのみがＲＳＴＤ測定に用いられ、前記少なくとも一つの隣セルのＰＲＳのみがＲＳＴＤ測定に用いられてもよい。
【０２０２】
また、前記基準セルの物理層セルＩＤ（ｉｄｅｎｔｉｆｉｅｒ）フィールドと少なくとも一つの隣セルの物理層セルＩＤとが同一であれば、前記基準セルのＰＲＳ及び／又はＣＲＳがＲＳＴＤ測定に用いられ、前記少なくとも一つの隣セルに対してはＲＳＴＤ測定が行われなくてもよい。
【０２０３】
また、前記基準セルの物理層セルＩＤ（ｉｄｅｎｔｉｆｉｅｒ）フィールドと少なくとも一つの隣セルの物理層セルＩＤとが同一であれば、前記基準セルのＰＲＳ及び／又はＣＲＳがＲＳＴＤ測定に用いられ、前記少なくとも一つの隣セルのＰＲＳのみがＲＳＴＤ測定に用いられてもよい。
【０２０４】
また、前記補助データに含まれた複数の隣セルの物理層セルＩＤが同一であれば、前記複数の隣セルのうち、事前に設定された隣セルのＰＲＳのみがＲＳＴＤ測定に用いられ、残りの隣セルに対してはＲＳＴＤ測定が行われなくてもよい。
【０２０５】
また、前記補助データに含まれた複数の隣セルの物理層セルＩＤが同一であれば、前記複数の隣セルのうち、事前に設定された隣セルのＰＲＳのみがＲＳＴＤ測定に用いられ、残りの隣セルのＰＲＳのみがＲＳＴＤ測定に用いられてもよい。
【０２０６】
また、前記補助データに含まれた複数の隣セルの物理層セルＩＤが同一であれば、前記複数の隣セルのうち、事前に設定された隣セルのＰＲＳ及び／又はＣＲＳがＲＳＴＤ測定に用いられ、残りの隣セルに対してはＲＳＴＤ測定が行われなくてもよい。
【０２０７】
また、前記補助データに含まれた複数の隣セルの物理層セルＩＤが同一であれば、前記複数の隣セルのうち、事前に設定された隣セルのＰＲＳ及び／又はＣＲＳのみがＲＳＴＤ測定に用いられ、残りの隣セルのＰＲＳのみがＲＳＴＤ測定に用いられてもよい。
【０２０８】
また、前記端末は前記基準セル又は前記隣セルのＰＲＳとＱＣＬ（ｑｕａｓｉ−ｃｏ−ｌｏｃａｔｉｏｎ）関係にある特定ＲＳ（ｒｅｆｅｒｅｎｃｅ  ｓｉｇｎａｌ）に関する情報を受信することができる。前記特定ＲＳに関する情報は、前記ＱＣＬ関係にあるＰＲＳのチャネル特性を決定するために用いることができる。
【０２０９】
また、前記特定ＲＳに関する情報は、前記ＰＲＳとＱＣＬ関係にある前記ＲＳの特定アンテナポートに関する情報を含むことができる。
【０２１０】
以上、図８を参照して本発明に係る実施例を簡略に説明したが、図８に関連した実施例は、前述した実施例の少なくとも一部を代案として又は追加として含むことができる。
【０２１１】
図9は、本発明の実施例を実行する送信装置１０及び受信装置２０の構成要素を示すブロック図である。送信装置１０及び受信装置２０は、情報及び／又はデータ、信号、メッセージなどを運ぶ有線及び／又は無線信号を送信又は受信できる送受信ユニット１３，２３と、無線通信システム内の通信と関連した各種情報を記憶するメモリ１２，２２と、送受信ユニット１３，２３及びメモリ１２，２２の構成要素と動作的に接続してこれらの構成要素を制御し、当該装置が前述の本発明の実施例の少なくとも一つを実行するようにメモリ１２，２２及び／又は送受信ユニット１３，２３を制御するように構成されたプロセッサ１１，２１をそれぞれ備える。
【０２１２】
メモリ１２，２２は、プロセッサ１１，２１の処理及び制御のためのプログラムを格納することができ、入／出力される情報を臨時記憶することができる。メモリ１２，２２がバッファーとして活用されてもよい。プロセッサ１１，２１は、一般に、送信装置又は受信装置内の各種モジュールの動作全般を制御する。特に、プロセッサ１１，２１は、本発明を実行するための各種制御機能を果たすことができる。プロセッサ１１，２１をコントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ぶこともできる。プロセッサ１１，２１は、ハードウェア（ｈａｒｄｗａｒｅ）又はファームウェア（ｆｉｒｍｗａｒｅ）、ソフトウェア、又はこれらの結合によって具現されてもよい。ハードウェアを用いて本発明を具現する場合は、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などがプロセッサ４００ａ，４００ｂに設けられてもよい。一方、ファームウェアやソフトウェアを用いて本発明を具現する場合は、本発明の機能又は動作を実行するモジュール、手順又は関数などを含むようにファームウェアやソフトウェアが構成されてもよい。本発明を実行できるように構成されたファームウェア又はソフトウェアは、プロセッサ１１，２１内に設けられたりメモリ１２，２２に格納されてプロセッサ１１，２１によって駆動されてもよい。
【０２１３】
送信装置１０におけるプロセッサ１１は、プロセッサ１１又はプロセッサ１１に接続しているスケジューラからスケジューリングされて外部に送信される信号及び／又はデータに対して所定の符号化（ｃｏｄｉｎｇ）及び変調（ｍｏｄｕｌａｔｉｏｎ）を行った後送受信ユニット１３に送信する。例えば、プロセッサ１１は、送信しようとするデータ列を逆多重化、チャネル符号化、スクランブリング、及び変調などをしてＫ個のレイヤに変換する。符号化されたデータ列はコードワードとも呼ばれ、ＭＡＣ層が提供するデータブロックである伝送ブロックと等価である。一伝送ブロック（ｔｒａｎｓｐｏｒｔ  ｂｌｏｃｋ、ＴＢ）は一コードワードに符号化され、各コードワードは一つ以上のレイヤの形態で受信装置に送信される。周波数アップ変換のために送受信ユニット１３はオシレータ（ｏｓｃｉｌｌａｔｏｒ）を含むことができる。送受信ユニット１３はＮｔ個（Ｎｔは１以上の正の整数）の送信アンテナを含むことができる。
【０２１４】
受信装置２０の信号処理過程は、送信装置１０の信号処理過程の逆となる。プロセッサ２１の制御下に、受信装置２０の送受信ユニット２３は送信装置１０から送信された無線信号を受信する。送受信ユニット２３は、Ｎｒ個の受信アンテナを含むことができ、送受信ユニット２３は受信アンテナから受信した信号のそれぞれを周波数ダウン変換して（ｆｒｅｑｕｅｎｃｙ  ｄｏｗｎ−ｃｏｎｖｅｒｔ）基底帯域信号に復元する。送受信ユニット２３は、周波数ダウン変換のためにオシレータを含むことができる。プロセッサ２１は、受信アンテナから受信した無線信号に対する復号（ｄｅｃｏｄｉｎｇ）及び復調（ｄｅｍｏｄｕｌａｔｉｏｎ）を行い、送信装置１０が本来送信しようとしたデータに復元することができる。
【０２１５】
送受信ユニット１３，２３は一つ以上のアンテナを具備する。アンテナは、プロセッサ１１，２１の制御下に、本発明の一実施例によって、送受信ユニット１３，２３で処理された信号を外部に送信したり、外部から無線信号を受信して送受信ユニット１３，２３に伝達する機能を果たす。アンテナはアンテナポートと呼ばれることもある。各アンテナは一つの物理アンテナに該当したり、２以上の物理アンテナ要素（ｅｌｅｍｅｎｔ）の組合せによって構成されてもよい。各アンテナから送信された信号は受信装置２０によってそれ以上分解されることはない。当該アンテナに対応して送信された参照信号（ｒｅｆｅｒｅｎｃｅ  ｓｉｇｎａｌ、ＲＳ）は受信装置２０の観点で見たアンテナを定義し、チャネルが一物理アンテナからの単一（ｓｉｎｇｌｅ）無線チャネルであるか、或いは当該アンテナを含む複数の物理アンテナ要素（ｅｌｅｍｅｎｔ）からの合成（ｃｏｍｐｏｓｉｔｅ）チャネルであるかに関係なく、受信装置２０にとって当該アンテナに対するチャネル推定を可能にする。すなわち、アンテナは、該アンテナ上のシンボルを伝達するチャネルが同一アンテナ上の他のシンボルが伝達される前記チャネルから導出されるように定義される。複数のアンテナを用いてデータを送受信する多重入出力（Ｍｕｌｔｉ−Ｉｎｐｕｔ  Ｍｕｌｔｉ−Ｏｕｔｐｕｔ、ＭＩＭＯ）機能を支援する送受信ユニットの場合は２個以上のアンテナに接続されてもよい。
【０２１６】
本発明の実施例において、ＵＥが上りリンクでは送信装置１０として動作し、下りリンクでは受信装置２０として動作する。本発明の実施例において、ｅＮＢが上りリンクでは受信装置２０として動作し、下りリンクでは送信装置１０として動作する。
【０２１７】
送信装置１０又は受信装置２０は、上述した本発明の実施例のうちの少なくとも１つ又は２つ以上の実施例の組合せを実行することができる。
【０２１８】
上述したように開示された本発明の好適な実施例に関する詳細な説明は、当業者が本発明を具現して実施し得るように提供された。以上では本発明の好適な実施例を参照して説明したが、当該技術の分野における熟練した者には、添付の特許請求の範囲に記載された本発明を様々に修正及び変更できるということが理解できる。したがって、本発明はここに示した実施の形態に制限されるものではなく、ここに開示された原理及び新規な特徴と一致する最も広い範囲を付与するためのものである。
【産業上の利用可能性】
【０２１９】
本発明は、端末、リレー、基地局などのような通信装置に利用可能である。
【図１】
0006639650.tif 000028
【図２】
0006639650.tif 000029
【図３】
0006639650.tif 000030
【図４】
0006639650.tif 000031
【図５】
0006639650.tif 000032
【図６】
0006639650.tif 000033
【図７】
0006639650.tif 000034
【図８】
0006639650.tif 000035
【図９】
0006639650.tif 000036